(57)【特許請求の範囲】
【請求項１】
ＩＳＰ（internet service provider ）から第１のＩＰ（internet protocol ）アドレス情報を取得する第１のＩＰアドレス取得手段と、
前記第１のＩＰアドレス情報と、ＩＳＤＮ（integrated services digital network ）のユーザユーザ情報要素と、を用いて、任意のＩＳＤＮターミナルアダプタから第２のＩＰアドレス情報を取得する第２のＩＰアドレス取得手段と、
前記第１のＩＰアドレス情報と、前記第２のＩＰアドレス情報と、を基に、前記任意のＩＳＤＮターミナルアダプタとＩＰネットワークを介した音声通信を行う通信手段と、を有するＩＳＤＮターミナルアダプタであって、
前記第２のＩＰアドレス取得手段は、
前記音声通信の開始指示が行われた際に、前記第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記任意のＩＳＤＮターミナルアダプタに送信するＳＥＴＵＰ送信手段と、
前記任意のＩＳＤＮターミナルアダプタから、前記第２のＩＰアドレス情報を含むユーザユーザ情報要素が含まれたＲＥＬＣＯＭＰメッセージを受信するＲＥＬＣＯＭＰ受信手段と、を有し、前記受信したＲＥＬＣＯＭＰメッセージに含まれるユーザユーザ情報要素の中から前記第２のＩＰアドレス情報を取得し、
前記通信手段は、
前記ＲＥＬＣＯＭＰメッセージを受信した際に、チャンネル回線を切断し、
前記受信したＲＥＬＣＯＭＰメッセージに含まれるユーザユーザ情報要素の中に、第２のＩＰアドレス情報と、ＩＰネットワークを介した音声通信を希望する旨の情報と、が含まれていると判断した場合に、ＩＰネットワークを介した音声通信が可能な状態に遷移し、前記任意のＩＳＤＮターミナルアダプタとＩＰネットワークを介した音声通信を行い、
前記ＳＥＴＵＰ送信手段は、
前記音声通信の開始指示が行われた際に、前記第１のＩＰアドレス情報を既に取得しているか否かを判断し、前記第１のＩＰアドレス情報を取得していないと判断した場合は、前記第１のＩＰアドレス取得手段により第１のＩＰアドレス情報を取得し、該取得した第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記任意のＩＳＤＮターミナルアダプタに送信し、
前記第１のＩＰアドレス情報を既に取得していると判断した場合は、前記第１のＩＰアドレス取得手段により既に取得した前記第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記任意のＩＳＤＮターミナルアダプタに送信することを特徴とするＩＳＤＮターミナルアダプタ。
【請求項２】
前記通信手段は、
前記受信したＲＥＬＣＯＭＰメッセージに含まれるユーザユーザ情報要素の中に、ＩＰネットワークを介した音声通信が出来ない旨の情報が含まれていると判断した場合は、前記任意のＩＳＤＮターミナルアダプタとＩＰネットワークを介した音声通信を行わず、処理を終了し、前記ＩＰネットワークを介した音声通信が出来ない旨の情報を、前記音声通信の開始指示を行った端末に通知することを特徴とする請求項１記載のＩＳＤＮターミナルアダプタ。
【請求項３】
ＩＳＰ（internet service provider ）から第１のＩＰ（internet protocol ）アドレス情報を取得する第１のＩＰアドレス取得手段と、
任意のＩＳＤＮターミナルアダプタから第２のＩＰアドレス情報を取得する第２のＩＰアドレス取得手段と、
前記第１のＩＰアドレス情報と、前記第２のＩＰアドレス情報と、を基に、前記任意のＩＳＤＮターミナルアダプタとＩＰネットワークを介した音声通信を行う通信手段と、を有するＩＳＤＮターミナルアダプタであって、
前記第２のＩＰアドレス取得手段は、
前記任意のＩＳＤＮターミナルアダプタからＩＳＤＮ（integrated services digital network ）のユーザユーザ情報要素を含むＳＥＴＵＰメッセージを受信した際に、前記ユーザユーザ情報要素を解析し、前記ユーザユーザ情報要素の中に含まれる第２のＩＰアドレス情報を取得し、
前記通信手段は、
前記ユーザユーザ情報要素を解析し、前記ユーザユーザ情報要素の中に、第２のＩＰアドレス情報と、前記第１のＩＰアドレス情報の提示要求と、が含まれていると判断し、尚且つ、前記任意のＩＳＤＮターミナルアダプタとＩＰネットワークを介した音声通信を行う場合は、前記第１のＩＰアドレス情報を既に取得しているか否かを判断し、前記第１のＩＰアドレス情報を取得していないと判断した場合は、前記第１のＩＰアドレス取得手段により第１のＩＰアドレス情報を取得し、該取得した第１のＩＰアドレス情報と、ＩＰネットワークを介した音声通信を希望する旨の情報と、を前記ユーザユーザ情報要素に含め、前記ユーザユーザ情報要素を含むＲＥＬＣＯＭＰメッセージを前記任意のＩＳＤＮターミナルアダプタに送信し、前記第１のＩＰアドレス情報と、前記第２のＩＰアドレス情報と、を基に、前記任意のＩＳＤＮターミナルアダプタとＩＰネットワークを介した音声通信を行い、
前記第１のＩＰアドレス情報を既に取得していると判断した場合は、前記第１のＩＰアドレス取得手段により既に取得した前記第１のＩＰアドレス情報と、ＩＰネットワークを介した音声通信を希望する旨の情報と、を前記ユーザユーザ情報要素に含め、前記ユーザユーザ情報要素を含むＲＥＬＣＯＭＰメッセージを前記任意のＩＳＤＮターミナルアダプタに送信し、前記第１のＩＰアドレス情報と、前記第２のＩＰアドレス情報と、を基に、前記任意のＩＳＤＮターミナルアダプタとＩＰネットワークを介した音声通信を行うことを特徴とするＩＳＤＮターミナルアダプタ。
【請求項４】
ＩＳＰ（internet service provider ）から第１のＩＰ（internet protocol ）アドレス情報を取得する第１のＩＰアドレス取得手段と、
前記第１のＩＰアドレス情報と、ＩＳＤＮ（integrated services digital network ）のユーザユーザ情報要素と、を用いて、任意のＩＳＤＮターミナルアダプタから第２のＩＰアドレス情報を取得する第２のＩＰアドレス取得手段と、
前記第１のＩＰアドレス情報と、前記第２のＩＰアドレス情報と、を基に、前記任意のＩＳＤＮターミナルアダプタとＩＰネットワークを介した音声通信を行う通信手段と、を有するＩＳＤＮターミナルアダプタであって、
前記第２のＩＰアドレス取得手段は、
発信側の無線端末装置から、着信側の無線端末装置の電話番号と、発信側の無線端末装置の電話番号と、を含むＳＥＴＵＰメッセージを受信し、前記音声通信の開始指示が行われた際に、前記第１のＩＰアドレス情報と、前記第２のＩＰアドレス情報の提示要求と、を前記ユーザユーザ情報要素に含め、着信側の無線端末装置の電話番号を設定したＳＥＴＵＰメッセージを前記任意のＩＳＤＮターミナルアダプタに送信するＳＥＴＵＰ送信手段と、
前記任意のＩＳＤＮターミナルアダプタから、ＩＰネットワークを介した音声通信を希望する旨の情報を含むユーザユーザ情報要素が含まれたＲＥＬＣＯＭＰメッセージを受信するＲＥＬＣＯＭＰ受信手段と、
前記任意のＩＳＤＮターミナルアダプタから、前記第２のＩＰアドレス情報を含むユーザユーザ情報要素が含まれたＳＥＴＵＰメッセージを受信するＳＥＴＵＰ受信手段と、を有し、前記受信したＳＥＴＵＰメッセージに含まれるユーザユーザ情報要素の中から前記第２のＩＰアドレス情報を取得し、
前記通信手段は、
前記ＲＥＬＣＯＭＰメッセージを受信した際に、チャンネル回線を切断し、
前記受信したＲＥＬＣＯＭＰメッセージに含まれるユーザユーザ情報要素の中に、ＩＰネットワークを介した音声通信を希望する旨の情報が含まれていると判断した場合に、呼設定受付メッセージを、前記発信側の無線端末装置に送信し、
前記ＳＥＴＵＰメッセージを受信した際に、前記発信側の無線端末装置と接続し、ＩＰネットワークを介した音声通信が可能な状態に遷移し、切断メッセージを前記任意のＩＳＤＮターミナルアダプタに送信し、チャンネル回線を切断し、前記任意のＩＳＤＮターミナルアダプタとＩＰネットワークを介した音声通信を行い、
前記ＳＥＴＵＰ送信手段は、
前記音声通信の開始指示が行われた際に、前記第１のＩＰアドレス情報を既に取得しているか否かを判断し、前記第１のＩＰアドレス情報を取得していないと判断した場合は、前記第１のＩＰアドレス取得手段により第１のＩＰアドレス情報を取得し、該取得した第１のＩＰアドレス情報と、前記第２のＩＰアドレス情報の提示要求と、を前記ユーザユーザ情報要素に含め、着信側の無線端末装置の電話番号を設定したＳＥＴＵＰメッセージを前記任意のＩＳＤＮターミナルアダプタに送信し、
前記第１のＩＰアドレス情報を既に取得していると判断した場合は、前記第１のＩＰアドレス取得手段により既に取得した前記第１のＩＰアドレス情報と、前記第２のＩＰアドレス情報の提示要求と、を前記ユーザユーザ情報要素に含め、着信側の無線端末装置の電話番号を設定したＳＥＴＵＰメッセージを前記任意のＩＳＤＮターミナルアダプタに送信することを特徴とするＩＳＤＮターミナルアダプタ。
【請求項５】
前記通信手段は、
前記受信したＲＥＬＣＯＭＰメッセージに含まれるユーザユーザ情報要素の中に、ＩＰネットワークを介した音声通信が出来ない旨の情報が含まれていると判断した場合は、前記任意のＩＳＤＮターミナルアダプタとＩＰネットワークを介した音声通信を行わず、処理を終了し、前記ＩＰネットワークを介した音声通信が出来ない旨の情報を、前記発信側の無線端末装置に通知することを特徴とする請求項５記載のＩＳＤＮターミナルアダプタ。
【請求項６】
ＩＳＰ（internet service provider ）から第１のＩＰ（internet protocol ）アドレス情報を取得する第１のＩＰアドレス取得手段と、
任意のＩＳＤＮターミナルアダプタから第２のＩＰアドレス情報を取得する第２のＩＰアドレス取得手段と、
前記第１のＩＰアドレス情報と、前記第２のＩＰアドレス情報と、を基に、前記任意のＩＳＤＮターミナルアダプタとＩＰネットワークを介した音声通信を行う通信手段と、を有するＩＳＤＮターミナルアダプタであって、
前記第２のＩＰアドレス取得手段は、
前記任意のＩＳＤＮターミナルアダプタからＩＳＤＮ（integrated services digital network ）のユーザユーザ情報要素を含むＳＥＴＵＰメッセージを受信した際に、前記ユーザユーザ情報要素を解析し、前記ユーザユーザ情報要素の中に含まれる第２のＩＰアドレス情報を取得し、
前記通信手段は、
前記ユーザユーザ情報要素を解析し、前記ユーザユーザ情報要素の中に、第２のＩＰアドレス情報と、前記第１のＩＰアドレス情報の提示要求と、が含まれていると判断し、尚且つ、前記任意のＩＳＤＮターミナルアダプタとＩＰネットワークを介した音声通信を行う場合は、前記第１のＩＰアドレス情報を既に取得しているか否かを判断し、前記第１のＩＰアドレス情報を取得していないと判断した場合は、前記第１のＩＰアドレス取得手段により第１のＩＰアドレス情報を取得し、ＩＰネットワークを介した音声通信を希望する旨の情報を前記ユーザユーザ情報要素に含め、前記ユーザユーザ情報要素を含むＲＥＬＣＯＭＰメッセージを前記任意のＩＳＤＮターミナルアダプタに送信し、
前記第１のＩＰアドレス情報を既に取得していると判断した場合は、ＩＰネットワークを介した音声通信を希望する旨の情報を前記ユーザユーザ情報要素に含め、前記ユーザユーザ情報要素を含むＲＥＬＣＯＭＰメッセージを前記任意のＩＳＤＮターミナルアダプタに送信するＲＥＬＣＯＭＰ送信手段と、
ＩＰネットワークを介した音声通信を希望する旨の情報を前記ユーザユーザ情報要素に含めた前記ＲＥＬＣＯＭＰメッセージを送信した際に、ＩＰネットワークを介した音声通信が可能な状態に遷移し、前記第１のＩＰアドレス取得手段により取得した第１のＩＰアドレス情報を前記ユーザユーザ情報要素に含めたＳＥＴＵＰメッセージを前記任意のＩＳＤＮターミナルアダプタに送信するＳＥＴＵＰ送信手段と、
前記ＳＥＴＵＰメッセージを送信した後に、前記任意のＩＳＤＮターミナルアダプタから切断メッセージを受信するＲＥＬＣＯＭＰ受信手段と、
を有し、前記切断メッセージを受信した際に、前記任意のＩＳＤＮターミナルアダプタとＩＰネットワークを介した音声通信を行うことを特徴とするＩＳＤＮターミナルアダプタ。」
【請求項７】
前記任意のＩＳＤＮターミナルアダプタとＩＰネットワークを介した音声通信を行うための所定の条件を設定する条件設定手段を有し、
前記ユーザユーザ情報要素を解析し、該解析したユーザユーザ情報要素が前記所定の条件を満たす場合は、前記任意のＩＳＤＮターミナルアダプタとＩＰネットワークを介した音声通信を可能と判断することを特徴とする請求項７または８記載のＩＳＤＮターミナルアダプタ。
【請求項８】
第１のＩＳＤＮ（integrated services digital network ）ターミナルと、第２のＩＳＤＮターミナルと、を有し、ＩＳＤＮターミナル間でＩＰ（internet protocol ）ネットワークを介した音声通信を行う音声通信システムであって、
前記第１のＩＳＤＮターミナルは、
ＩＳＰ（internet service provider ）から第１のＩＰアドレス情報を取得する第１のＩＰアドレス取得手段と、
前記第１のＩＰアドレス情報と、ＩＳＤＮのユーザユーザ情報要素と、を用いて、前記第２のＩＳＤＮターミナルアダプタから第２のＩＰアドレス情報を取得する第２のＩＰアドレス取得手段と、
前記第１のＩＰアドレス情報と、前記第２のＩＰアドレス情報と、を基に、前記第２のＩＳＤＮターミナルアダプタとＩＰネットワークを介した音声通信を行う通信手段と、を有し、
前記第２のＩＰアドレス取得手段は、
前記音声通信の開始指示が行われた際に、前記第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記第２のＩＳＤＮターミナルアダプタに送信するＳＥＴＵＰ送信手段と、
前記第２のＩＳＤＮターミナルアダプタから、前記第２のＩＰアドレス情報を含むユーザユーザ情報要素が含まれたＲＥＬＣＯＭＰメッセージを受信するＲＥＬＣＯＭＰ受信手段と、を有し、前記受信したＲＥＬＣＯＭＰメッセージに含まれるユーザユーザ情報要素の中から前記第２のＩＰアドレス情報を取得し、
前記通信手段は、
前記ＲＥＬＣＯＭＰメッセージを受信した際に、チャンネル回線を切断し、
前記受信したＲＥＬＣＯＭＰメッセージに含まれるユーザユーザ情報要素の中に、第２のＩＰアドレス情報と、ＩＰネットワークを介した音声通信を希望する旨の情報と、が含まれていると判断した場合に、ＩＰネットワークを介した音声通信が可能な状態に遷移し、前記第２のＩＳＤＮターミナルアダプタとＩＰネットワークを介した音声通信を行い、
前記ＳＥＴＵＰ送信手段は、
前記音声通信の開始指示が行われた際に、前記第１のＩＰアドレス情報を既に取得しているか否かを判断し、前記第１のＩＰアドレス情報を取得していないと判断した場合は、前記第１のＩＰアドレス取得手段により第１のＩＰアドレス情報を取得し、該取得した第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記第２のＩＳＤＮターミナルアダプタに送信し、
前記第１のＩＰアドレス情報を既に取得していると判断した場合は、前記第１のＩＰアドレス取得手段により既に取得した前記第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記第２のＩＳＤＮターミナルアダプタに送信することを特徴とする音声通信システム。
【請求項９】
前記第１のＩＳＤＮターミナルアダプタは、
前記受信したＲＥＬＣＯＭＰメッセージに含まれるユーザユーザ情報要素の中に、ＩＰネットワークを介した音声通信が出来ない旨の情報が含まれていると判断した場合は、前記任意のＩＳＤＮターミナルアダプタとＩＰネットワークを介した音声通信を行わず、処理を終了し、前記ＩＰネットワークを介した音声通信が出来ない旨の情報を、前記音声通信の開始指示を行った端末に通知することを特徴とする請求項８記載の音声通信システム。
【請求項１０】
前記第２のＩＳＤＮターミナルアダプタは、
前記第１のＩＳＤＮターミナルアダプタから第１のＩＰアドレス情報を取得する第１のＩＰアドレス取得手段と、
ＩＳＰから第２のＩＰアドレス情報を取得する第２のＩＰアドレス取得手段と、
前記第１のＩＰアドレス情報と、前記第２のＩＰアドレス情報と、を基に、前記第１のＩＳＤＮターミナルアダプタとＩＰネットワークを介した音声通信を行う通信手段と、を有し、
前記第１のＩＰアドレス取得手段は、
前記第１のＩＳＤＮターミナルアダプタからＩＳＤＮのユーザユーザ情報要素を含むＳＥＴＵＰメッセージを受信した際に、前記ユーザユーザ情報要素を解析し、前記ユーザユーザ情報要素の中に含まれる第１のＩＰアドレス情報を取得し、
前記通信手段は、
前記ユーザユーザ情報要素を解析し、前記ユーザユーザ情報要素の中に、第１のＩＰアドレス情報と、前記第２のＩＰアドレス情報の提示要求と、が含まれていると判断し、尚且つ、前記第１のＩＳＤＮターミナルアダプタとＩＰネットワークを介した音声通信を行う場合は、前記第２のＩＰアドレス情報を既に取得しているか否かを判断し、前記第２のＩＰアドレス情報を取得していないと判断した場合は、前記第２のＩＰアドレス取得手段により第２のＩＰアドレス情報を取得し、該取得した第２のＩＰアドレス情報と、ＩＰネットワークを介した音声通信を希望する旨の情報と、を前記ユーザユーザ情報要素に含め、前記ユーザユーザ情報要素を含むＲＥＬＣＯＭＰメッセージを前記第１のＩＳＤＮターミナルアダプタに送信し、前記第１のＩＰアドレス情報と、前記第２のＩＰアドレス情報と、を基に、前記第１のＩＳＤＮターミナルアダプタとＩＰネットワークを介した音声通信を行い、
前記第２のＩＰアドレス情報を既に取得していると判断した場合は、前記第２のＩＰアドレス取得手段により既に取得した前記第２のＩＰアドレス情報と、ＩＰネットワークを介した音声通信を希望する旨の情報と、を前記ユーザユーザ情報要素に含め、前記ユーザユーザ情報要素を含むＲＥＬＣＯＭＰメッセージを前記第１のＩＳＤＮターミナルアダプタに送信し、前記第１のＩＰアドレス情報と、前記第２のＩＰアドレス情報と、を基に、前記第１のＩＳＤＮターミナルアダプタとＩＰネットワークを介した音声通信を行うことを特徴とする請求項８または９記載の音声通信システム。
【請求項１１】
第１のＩＳＤＮ（integrated services digital network ）ターミナルと、第２のＩＳＤＮターミナルと、を有し、ＩＳＤＮターミナル間でＩＰ（internet protocol ）ネットワークを介した音声通信を行う音声通信システムであって、
前記第１のＩＳＤＮターミナルアダプタは、
ＩＳＰ（internet service provider ）から第１のＩＰ（internet protocol ）アドレス情報を取得する第１のＩＰアドレス取得手段と、
前記第１のＩＰアドレス情報と、ＩＳＤＮのユーザユーザ情報要素と、を用いて、前記第２のＩＳＤＮターミナルアダプタから第２のＩＰアドレス情報を取得する第２のＩＰアドレス取得手段と、
前記第１のＩＰアドレス情報と、前記第２のＩＰアドレス情報と、を基に、前記第２のＩＳＤＮターミナルアダプタとＩＰネットワークを介した音声通信を行う通信手段と、を有し、
前記第２のＩＰアドレス取得手段は、
発信側の無線端末装置から、着信側の無線端末装置の電話番号と、発信側の無線端末装置の電話番号と、を含むＳＥＴＵＰメッセージを受信し、前記音声通信の開始指示が行われた際に、前記第１のＩＰアドレス情報と、前記第２のＩＰアドレス情報の提示要求と、を前記ユーザユーザ情報要素に含め、着信側の無線端末装置の電話番号を設定したＳＥＴＵＰメッセージを前記第２のＩＳＤＮターミナルアダプタに送信するＳＥＴＵＰ送信手段と、
前記第２のＩＳＤＮターミナルアダプタから、ＩＰネットワークを介した音声通信を希望する旨の情報を含むユーザユーザ情報要素が含まれたＲＥＬＣＯＭＰメッセージを受信するＲＥＬＣＯＭＰ受信手段と、
前記第２のＩＳＤＮターミナルアダプタから、前記第２のＩＰアドレス情報を含むユーザユーザ情報要素が含まれたＳＥＴＵＰメッセージを受信するＳＥＴＵＰ受信手段と、を有し、前記受信したＳＥＴＵＰメッセージに含まれるユーザユーザ情報要素の中から前記第２のＩＰアドレス情報を取得し、
前記通信手段は、
前記ＲＥＬＣＯＭＰメッセージを受信した際に、チャンネル回線を切断し、
前記受信したＲＥＬＣＯＭＰメッセージに含まれるユーザユーザ情報要素の中に、ＩＰネットワークを介した音声通信を希望する旨の情報が含まれていると判断した場合に、呼設定受付メッセージを、前記発信側の無線端末装置に送信し、
前記ＳＥＴＵＰメッセージを受信した際に、前記発信側の無線端末装置と接続し、ＩＰネットワークを介した音声通信が可能な状態に遷移し、切断メッセージを前記第２のＩＳＤＮターミナルアダプタに送信し、チャンネル回線を切断し、前記第２のＩＳＤＮターミナルアダプタとＩＰネットワークを介した音声通信を行い、
前記ＳＥＴＵＰ送信手段は、
前記音声通信の開始指示が行われた際に、前記第１のＩＰアドレス情報を既に取得しているか否かを判断し、前記第１のＩＰアドレス情報を取得していないと判断した場合は、前記第１のＩＰアドレス取得手段により第１のＩＰアドレス情報を取得し、該取得した第１のＩＰアドレス情報と、前記第２のＩＰアドレス情報の提示要求と、を前記ユーザユーザ情報要素に含め、着信側の無線端末装置の電話番号を設定したＳＥＴＵＰメッセージを前記任意のＩＳＤＮターミナルアダプタに送信し、
前記第１のＩＰアドレス情報を既に取得していると判断した場合は、前記第１のＩＰアドレス取得手段により既に取得した前記第１のＩＰアドレス情報と、前記第２のＩＰアドレス情報の提示要求と、を前記ユーザユーザ情報要素に含め、着信側の無線端末装置の電話番号を設定したＳＥＴＵＰメッセージを前記第２のＩＳＤＮターミナルアダプタに送信することを特徴とする音声通信システム。
【請求項１２】
前記第１のＩＳＤＮターミナルアダプタは、
前記受信したＲＥＬＣＯＭＰメッセージに含まれるユーザユーザ情報要素の中に、ＩＰネットワークを介した音声通信が出来ない旨の情報が含まれていると判断した場合は、前記第２のＩＳＤＮターミナルアダプタとＩＰネットワークを介した音声通信を行わず、処理を終了し、前記ＩＰネットワークを介した音声通信が出来ない旨の情報を、前記発信側の無線端末装置に通知することを特徴とする請求項１１記載の音声通信システム。
【請求項１３】
前記第２のＩＳＤＮターミナルアダプタは、
前記第１のＩＳＤＮターミナルアダプタから第１のＩＰアドレス情報を取得する第１のＩＰアドレス取得手段と、
ＩＳＰから第２のＩＰアドレス情報を取得する第２のＩＰアドレス取得手段と、
前記第１のＩＰアドレス情報と、前記第２のＩＰアドレス情報と、を基に、前記第１のＩＳＤＮターミナルアダプタとＩＰネットワークを介した音声通信を行う通信手段と、を有し、
前記第１のＩＰアドレス取得手段は、
前記第１のＩＳＤＮターミナルアダプタからＩＳＤＮ（integrated services digital network ）のユーザユーザ情報要素を含むＳＥＴＵＰメッセージを受信した際に、前記ユーザユーザ情報要素を解析し、前記ユーザユーザ情報要素の中に含まれる第１のＩＰアドレス情報を取得し、
前記通信手段は、
前記ユーザユーザ情報要素を解析し、前記ユーザユーザ情報要素の中に、第１のＩＰアドレス情報と、前記第２のＩＰアドレス情報の提示要求と、が含まれていると判断し、尚且つ、前記第１のＩＳＤＮターミナルアダプタとＩＰネットワークを介した音声通信を行う場合は、前記第２のＩＰアドレス情報を既に取得しているか否かを判断し、前記第２のＩＰアドレス情報を取得していないと判断した場合は、前記第２のＩＰアドレス取得手段により第２のＩＰアドレス情報を取得し、ＩＰネットワークを介した音声通信を希望する旨の情報を前記ユーザユーザ情報要素に含め、前記ユーザユーザ情報要素を含むＲＥＬＣＯＭＰメッセージを前記第１のＩＳＤＮターミナルアダプタに送信し、
前記第２のＩＰアドレス情報を既に取得していると判断した場合は、ＩＰネットワークを介した音声通信を希望する旨の情報を前記ユーザユーザ情報要素に含め、前記ユーザユーザ情報要素を含むＲＥＬＣＯＭＰメッセージを前記第１のＩＳＤＮターミナルアダプタに送信するＲＥＬＣＯＭＰ送信手段と、
ＩＰネットワークを介した音声通信を希望する旨の情報を前記ユーザユーザ情報要素に含めた前記ＲＥＬＣＯＭＰメッセージを送信した際に、ＩＰネットワークを介した音声通信が可能な状態に遷移し、前記第２のＩＰアドレス取得手段により取得した第２のＩＰアドレス情報を前記ユーザユーザ情報要素に含めたＳＥＴＵＰメッセージを前記第１のＩＳＤＮターミナルアダプタに送信するＳＥＴＵＰ送信手段と、
前記ＳＥＴＵＰメッセージを送信した後に、前記第１のＩＳＤＮターミナルアダプタから切断メッセージを受信するＲＥＬＣＯＭＰ受信手段と、
を有し、前記切断メッセージを受信した際に、前記第１のＩＳＤＮターミナルアダプタとＩＰネットワークを介した音声通信を行うことを特徴とする請求項１１から１２の何れか１項に記載の音声通信システム。」
【請求項１４】
前記第２のＩＳＤＮターミナルアダプタは、
前記任意のＩＳＤＮターミナルアダプタとＩＰネットワークを介した音声通信を行うための所定の条件を設定する条件設定手段を有し、
前記ユーザユーザ情報要素を解析し、該解析したユーザユーザ情報要素が前記所定の条件を満たす場合は、前記第１のＩＳＤＮターミナルアダプタとＩＰネットワークを介した音声通信を可能と判断することを特徴とする請求項１１から１３の何れか１項の記載の音声通信システム。
【請求項１５】
ＩＳＰ（internet service provider ）から第１のＩＰ（internet protocol ）アドレス情報を取得する第１のＩＰアドレス取得工程と、
前記第１のＩＰアドレス情報と、ＩＳＤＮ（integrated services digital network ）のユーザユーザ情報要素と、を用いて、任意のＩＳＤＮターミナルアダプタから第２のＩＰアドレス情報を取得する第２のＩＰアドレス取得工程と、
前記第１のＩＰアドレス情報と、前記第２のＩＰアドレス情報と、を基に、前記任意のＩＳＤＮターミナルアダプタとＩＰネットワークを介した音声通信を行う通信工程と、を、ＩＳＤＮターミナルアダプタにおいて行う音声通信方法であって、
前記第２のＩＰアドレス取得工程は、
前記音声通信の開始指示が行われた際に、前記第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記任意のＩＳＤＮターミナルアダプタに送信するＳＥＴＵＰ送信工程と、
前記任意のＩＳＤＮターミナルアダプタから、前記第２のＩＰアドレス情報を含むユーザユーザ情報要素が含まれたＲＥＬＣＯＭＰメッセージを受信するＲＥＬＣＯＭＰ受信工程と、を有し、前記ＩＳＤＮターミナルアダプタが、前記受信したＲＥＬＣＯＭＰメッセージに含まれるユーザユーザ情報要素の中から前記第２のＩＰアドレス情報を取得し、
前記通信工程は、
前記ＲＥＬＣＯＭＰメッセージを受信した際に、チャンネル回線を切断し、
前記受信したＲＥＬＣＯＭＰメッセージに含まれるユーザユーザ情報要素の中に、第２のＩＰアドレス情報と、ＩＰネットワークを介した音声通信を希望する旨の情報と、が含まれていると判断した場合に、ＩＰネットワークを介した音声通信が可能な状態に遷移し、前記任意のＩＳＤＮターミナルアダプタとＩＰネットワークを介した音声通信を行い、
前記ＳＥＴＵＰ送信工程は、
前記音声通信の開始指示が行われた際に、前記第１のＩＰアドレス取得工程により、前記第１のＩＰアドレス情報を既に取得しているか否かを判断し、前記第１のＩＰアドレス情報を取得していないと判断した場合は、前記第１のＩＰアドレス情報を取得し、該取得した第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記任意のＩＳＤＮターミナルアダプタに送信し、
前記第１のＩＰアドレス情報を既に取得していると判断した場合は、前記第１のＩＰアドレス取得工程により既に取得した前記第１のＩＰアドレス情報と、前記第２のＩＰアドレス情報の提示要求と、を前記ユーザユーザ情報要素に含め、前記ユーザユーザ情報要素を含むＳＥＴＵＰメッセージを前記任意のＩＳＤＮターミナルアダプタに送信することを特徴とする音声通信方法。
【請求項１６】
ＩＳＰ（internet service provider ）から第１のＩＰ（internet protocol ）アドレス情報を取得する第１のＩＰアドレス取得工程と、
任意のＩＳＤＮターミナルアダプタから第２のＩＰアドレス情報を取得する第２のＩＰアドレス取得工程と、
前記第１のＩＰアドレス情報と、前記第２のＩＰアドレス情報と、を基に、前記任意のＩＳＤＮターミナルアダプタとＩＰネットワークを介した音声通信を行う通信工程と、を、ＩＳＤＮターミナルアダプタが行う音声通信方法であって、
前記第２のＩＰアドレス取得工程は、
前記任意のＩＳＤＮターミナルアダプタからＩＳＤＮ（integrated services digital network ）のユーザユーザ情報要素を含むＳＥＴＵＰメッセージを受信した際に、前記ユーザユーザ情報要素を解析し、前記ユーザユーザ情報要素の中に含まれる第２のＩＰアドレス情報を取得し、
前記通信工程は、
前記ユーザユーザ情報要素を解析し、前記ユーザユーザ情報要素の中に、第２のＩＰアドレス情報と、前記第１のＩＰアドレス情報の提示要求と、が含まれていると判断し、尚且つ、前記任意のＩＳＤＮターミナルアダプタとＩＰネットワークを介した音声通信を行う場合は、前記第１のＩＰアドレス取得工程により、前記第１のＩＰアドレス情報を既に取得しているか否かを判断し、前記第１のＩＰアドレス情報を取得していないと判断した場合は、前記第１のＩＰアドレス情報を取得し、該取得した第１のＩＰアドレス情報と、ＩＰネットワークを介した音声通信を希望する旨の情報と、を前記ユーザユーザ情報要素に含め、前記ユーザユーザ情報要素を含むＲＥＬＣＯＭＰメッセージを前記任意のＩＳＤＮターミナルアダプタに送信し、前記第１のＩＰアドレス情報と、前記第２のＩＰアドレス情報と、を基に、前記任意のＩＳＤＮターミナルアダプタとＩＰネットワークを介した音声通信を行い、
前記第１のＩＰアドレス情報を既に取得していると判断した場合は、前記第１のＩＰアドレス取得工程により既に取得した前記第１のＩＰアドレス情報と、ＩＰネットワークを介した音声通信を希望する旨の情報と、を前記ユーザユーザ情報要素に含め、前記ユーザユーザ情報要素を含むＲＥＬＣＯＭＰメッセージを前記任意のＩＳＤＮターミナルアダプタに送信し、前記第１のＩＰアドレス情報と、前記第２のＩＰアドレス情報と、を基に、前記任意のＩＳＤＮターミナルアダプタとＩＰネットワークを介した音声通信を行うことを特徴とする音声通信方法。
【発明の詳細な説明】
【０００１】
【発明の属する技術分野】
本発明は、ＩＳＤＮ（integrated services digital network ）のＤチャンネルにおける呼制御メッセージ内のユーザユーザ情報要素を用いて任意のＩＳＤＮターミナルアダプタとＩＰ（internet protocol ）アドレス情報を交換し、上記任意のＩＳＤＮターミナルアダプタとの間でＩＰネットワークを介した音声通信を行うことができるＩＳＤＮターミナルアダプタ、音声通信システムおよび音声通信方法に関する。
【０００２】
【従来の技術】
従来、複数のＩＳＤＮターミナルアダプタがＩＳＰ（internet service provider ）およびＩＰネットワークを介して接続し、各アダプタに接続する固定電話機やＰＨＳなどの音声通話端末間で音声通信を行う、いわゆるＶｏＩＰ（voice over IP ）技術が知られている。この技術を用いた音声通話例を以下に説明する。
【０００３】
ユーザは、ＩＰネットワークを介して音声通信を行いたい場合、ＩＳＤＮターミナルアダプタ（以下、発信側ＩＳＤＮターミナルアダプタと表記する）に接続する音声通話端末を用いて音声データを入力する。
発信側ＩＳＤＮターミナルアダプタは、図６に示すように、ＵＤＰパケットのデータ領域（ペイロード）に音声データまたはこのデータの圧縮データを入れ、ＵＤＰヘッダおよびＩＰヘッダを順次付加してＩＰフレームを作成する。図５に示すＩＰヘッダの送信元ＩＰアドレス欄には、ＩＳＰから発信側ＩＳＤＮターミナルアダプタに付与されているＩＰアドレス（発信側アドレス）を記載する。また、送信先ＩＰアドレス欄には、上記ユーザが通信を希望する相手先のＩＳＤＮターミナルアダプタ（以下、着信側ＩＳＤＮターミナルアダプタと表記する。）に付与されているＩＰアドレス（着信側アドレス）を記載する。作成したＩＰフレームは、ＩＳＰを介して接続するＩＰネットワークに流す。
上記ＩＰフレームは、ＩＰネットワークにより、ＩＰヘッダ内の送信先ＩＰアドレスを有するネットワーク機器、つまり着信側ＩＳＤＮターミナルアダプタに転送される。
着信側ＩＳＤＮターミナルアダプタは、入力されたＩＰフレームからＩＰヘッダおよびＵＤＰヘッダを除去し、音声データまたは圧縮データを得る。圧縮データを得た場合には、このデータを伸長して音声データを得る。そして、この音声データを再生する。
【０００４】
着信側ＩＳＤＮターミナルアダプタも、上記同様に、発信側ＩＳＤＮターミナルアダプタへ音声データを送信する。つまり、ＩＰヘッダの送信元ＩＰアドレスに上記着信側ＩＰアドレスを入力し、送信先ＩＰアドレスに上記発信側アドレスを入力し、ＵＤＰペイロードに音声データ（または圧縮データ）を加えたＩＰフレームを作成し、これをＩＳＰを介してＩＰネットワークに流す。このＩＰフレームは、ＩＰネットワークがＩＰヘッダの送信先ＩＰアドレス欄に従い、発信側ＩＳＤＮターミナルアダプタへ送信する。発信側ＩＳＤＮターミナルアダプタは、入力されたＩＰフレームから音声データを取りだし、これを再生する。
【０００５】
【発明が解決しようとする課題】
このように、上記ＩＳＤＮターミナルアダプタは、通信相手先（発信側であれば着信側、着信側であれば発信側）のＩＰアドレスを用いてＩＰネットワークを介して音声通信を行う。つまり、上記音声通信を行うＩＳＤＮターミナルアダプタは、通信相手先とＩＰアドレス情報を交換する必要がある。
しかしながら、従来のＩＰアドレス情報の交換作業（手順）には、種々の問題点が指摘されている。
【０００６】
例えば、各ＩＳＤＮターミナルアダプタのユーザ同士が、音声通信や電子メールなどを用い、ＩＰアドレス情報を互いに交換する方法では、各ユーザは、音声通話を行うために極めて多くの労力を費やさなければならない。
各ユーザは、ＩＳＤＮターミナルアダプタに割り当てられているＩＰアドレスを調べ、これを記憶し、通信相手先に通知する必要がある。また、通信相手先のＩＳＤＮターミナルアダプタのＩＰアドレスを、自ら使用するＩＳＤＮターミナルアダプタに通信相手先のＩＰアドレスとして設定する必要がある。
一般に、ＩＳＤＮターミナルアダプタに割り当てられているＩＰアドレスを調べる作業や通信相手先のＩＰアドレスを設定する作業などには専門的知識が要求されるため、このような交換方法を採用すると、事実上、ＩＰネットワークを介した音声通信が可能なユーザは限られてしまう。
【０００７】
また、通信相手先のＩＳＤＮターミナルアダプタにＩＰアドレスを付与しているＩＳＰからこのＩＰアドレスを取得する方法では、ＩＳＰを改良する必要があり、またＩＳＰにセキュリティ上の問題が発生する。
発信側ＩＳＤＮターミナルアダプタは、着信側ＩＳＤＮターミナルアダプタにＩＰアドレスを付与しているＩＳＰにアクセスし、着信側ＩＰアドレス情報を取得する。着信側ＩＳＤＮターミナルアダプタは、発信側ＩＳＤＮターミナルアダプタにＩＰアドレスを付与しているＩＳＰにアクセスし、発信側ＩＰアドレス情報を取得する。各ＩＳＤＮターミナルアダプタは、取得したＩＰアドレスを通信相手先のＩＰアドレスとして設定する。
しかし、この方法を採用すると、ＩＳＰは、ＩＰアドレスを付与している者以外にもこのＩＰアドレスを教える手段を設けなければならない。また、この手段はＩＰアドレスを付与している者以外にもこのＩＰアドレスを教えるため、セキュリティ上の問題がある。例えば、ＩＳＰに割り当てられているＩＰアドレスの情報などの種々の情報が漏洩してしまったり改ざんされてしまう可能性が、上記手段を設けない場合に比べて高くなってしまう。
【０００８】
本発明は、上記問題点に鑑みなされたものであり、ＩＳＤＮのユーザユーザ情報要素を用いて任意のＩＳＤＮターミナルアダプタとＩＰアドレス情報を交換し、上記任意のＩＳＤＮターミナルアダプタとの間でＩＰネットワークを介した音声通信を行うことができるＩＳＤＮターミナルアダプタ、音声通信システムおよび音声通信方法を提供することを目的とする。
【０００９】
【課題を解決するための手段】
かかる目的を達成するために本発明は以下の特徴を有する。
本発明にかかるＩＳＤＮターミナルアダプタは、ＩＳＰ（internet service provider ）から第１のＩＰ（internet protocol ）アドレス情報を取得する第１のＩＰアドレス取得手段と、第１のＩＰアドレス情報と、ＩＳＤＮ（integrated services digital network ）のユーザユーザ情報要素と、を用いて、任意のＩＳＤＮターミナルアダプタから第２のＩＰアドレス情報を取得する第２のＩＰアドレス取得手段と、第１のＩＰアドレス情報と、第２のＩＰアドレス情報と、を基に、任意のＩＳＤＮターミナルアダプタとＩＰネットワークを介した音声通信を行う通信手段と、を有するＩＳＤＮターミナルアダプタであって、第２のＩＰアドレス取得手段は、音声通信の開始指示が行われた際に、第１のＩＰアドレス情報と、第２のＩＰアドレス情報の提示要求と、をユーザユーザ情報要素に含め、ユーザユーザ情報要素を含むＳＥＴＵＰメッセージを任意のＩＳＤＮターミナルアダプタに送信するＳＥＴＵＰ送信手段と、任意のＩＳＤＮターミナルアダプタから、第２のＩＰアドレス情報を含むユーザユーザ情報要素が含まれたＲＥＬＣＯＭＰメッセージを受信するＲＥＬＣＯＭＰ受信手段と、を有し、受信したＲＥＬＣＯＭＰメッセージに含まれるユーザユーザ情報要素の中から第２のＩＰアドレス情報を取得し、通信手段は、ＲＥＬＣＯＭＰメッセージを受信した際に、チャンネル回線を切断し、受信したＲＥＬＣＯＭＰメッセージに含まれるユーザユーザ情報要素の中に、第２のＩＰアドレス情報と、ＩＰネットワークを介した音声通信を希望する旨の情報と、が含まれていると判断した場合に、ＩＰネットワークを介した音声通信が可能な状態に遷移し、任意のＩＳＤＮターミナルアダプタとＩＰネットワークを介した音声通信を行い、ＳＥＴＵＰ送信手段は、音声通信の開始指示が行われた際に、第１のＩＰアドレス情報を既に取得しているか否かを判断し、第１のＩＰアドレス情報を取得していないと判断した場合は、第１のＩＰアドレス取得手段により第１のＩＰアドレス情報を取得し、該取得した第１のＩＰアドレス情報と、第２のＩＰアドレス情報の提示要求と、をユーザユーザ情報要素に含め、ユーザユーザ情報要素を含むＳＥＴＵＰメッセージを任意のＩＳＤＮターミナルアダプタに送信し、第１のＩＰアドレス情報を既に取得していると判断した場合は、第１のＩＰアドレス取得手段により既に取得した第１のＩＰアドレス情報と、第２のＩＰアドレス情報の提示要求と、をユーザユーザ情報要素に含め、ユーザユーザ情報要素を含むＳＥＴＵＰメッセージを任意のＩＳＤＮターミナルアダプタに送信することを特徴とするものである。
【００１０】
また、本発明にかかるＩＳＤＮターミナルアダプタにおいて、通信手段は、受信したＲＥＬＣＯＭＰメッセージに含まれるユーザユーザ情報要素の中に、ＩＰネットワークを介した音声通信が出来ない旨の情報が含まれていると判断した場合は、任意のＩＳＤＮターミナルアダプタとＩＰネットワークを介した音声通信を行わず、処理を終了し、ＩＰネットワークを介した音声通信が出来ない旨の情報を、音声通信の開始指示を行った端末に通知することを特徴とするものである。
【００１１】
また、本発明にかかるＩＳＤＮターミナルアダプタは、ＩＳＰ（internet service provider ）から第１のＩＰ（internet protocol ）アドレス情報を取得する第１のＩＰアドレス取得手段と、任意のＩＳＤＮターミナルアダプタから第２のＩＰアドレス情報を取得する第２のＩＰアドレス取得手段と、第１のＩＰアドレス情報と、第２のＩＰアドレス情報と、を基に、任意のＩＳＤＮターミナルアダプタとＩＰネットワークを介した音声通信を行う通信手段と、を有するＩＳＤＮターミナルアダプタであって、第２のＩＰアドレス取得手段は、任意のＩＳＤＮターミナルアダプタからＩＳＤＮ（integrated services digital network ）のユーザユーザ情報要素を含むＳＥＴＵＰメッセージを受信した際に、ユーザユーザ情報要素を解析し、ユーザユーザ情報要素の中に含まれる第２のＩＰアドレス情報を取得し、通信手段は、ユーザユーザ情報要素を解析し、ユーザユーザ情報要素の中に、第２のＩＰアドレス情報と、第１のＩＰアドレス情報の提示要求と、が含まれていると判断し、尚且つ、任意のＩＳＤＮターミナルアダプタとＩＰネットワークを介した音声通信を行う場合は、第１のＩＰアドレス情報を既に取得しているか否かを判断し、第１のＩＰアドレス情報を取得していないと判断した場合は、第１のＩＰアドレス取得手段により第１のＩＰアドレス情報を取得し、該取得した第１のＩＰアドレス情報と、ＩＰネットワークを介した音声通信を希望する旨の情報と、をユーザユーザ情報要素に含め、ユーザユーザ情報要素を含むＲＥＬＣＯＭＰメッセージを任意のＩＳＤＮターミナルアダプタに送信し、第１のＩＰアドレス情報と、第２のＩＰアドレス情報と、を基に、任意のＩＳＤＮターミナルアダプタとＩＰネットワークを介した音声通信を行い、第１のＩＰアドレス情報を既に取得していると判断した場合は、第１のＩＰアドレス取得手段により既に取得した第１のＩＰアドレス情報と、ＩＰネットワークを介した音声通信を希望する旨の情報と、をユーザユーザ情報要素に含め、ユーザユーザ情報要素を含むＲＥＬＣＯＭＰメッセージを任意のＩＳＤＮターミナルアダプタに送信し、第１のＩＰアドレス情報と、第２のＩＰアドレス情報と、を基に、任意のＩＳＤＮターミナルアダプタとＩＰネットワークを介した音声通信を行うことを特徴とするものである。
【００１２】
また、本発明にかかるＩＳＤＮターミナルアダプタは、ＩＳＰ（internet service provider ）から第１のＩＰ（internet protocol ）アドレス情報を取得する第１のＩＰアドレス取得手段と、第１のＩＰアドレス情報と、ＩＳＤＮ（integrated services digital network ）のユーザユーザ情報要素と、を用いて、任意のＩＳＤＮターミナルアダプタから第２のＩＰアドレス情報を取得する第２のＩＰアドレス取得手段と、第１のＩＰアドレス情報と、第２のＩＰアドレス情報と、を基に、任意のＩＳＤＮターミナルアダプタとＩＰネットワークを介した音声通信を行う通信手段と、を有するＩＳＤＮターミナルアダプタであって、第２のＩＰアドレス取得手段は、発信側の無線端末装置から、着信側の無線端末装置の電話番号と、発信側の無線端末装置の電話番号と、を含むＳＥＴＵＰメッセージを受信し、音声通信の開始指示が行われた際に、第１のＩＰアドレス情報と、第２のＩＰアドレス情報の提示要求と、をユーザユーザ情報要素に含め、着信側の無線端末装置の電話番号を設定したＳＥＴＵＰメッセージを任意のＩＳＤＮターミナルアダプタに送信するＳＥＴＵＰ送信手段と、任意のＩＳＤＮターミナルアダプタから、ＩＰネットワークを介した音声通信を希望する旨の情報を含むユーザユーザ情報要素が含まれたＲＥＬＣＯＭＰメッセージを受信するＲＥＬＣＯＭＰ受信手段と、任意のＩＳＤＮターミナルアダプタから、第２のＩＰアドレス情報を含むユーザユーザ情報要素が含まれたＳＥＴＵＰメッセージを受信するＳＥＴＵＰ受信手段と、を有し、受信したＳＥＴＵＰメッセージに含まれるユーザユーザ情報要素の中から第２のＩＰアドレス情報を取得し、通信手段は、ＲＥＬＣＯＭＰメッセージを受信した際に、チャンネル回線を切断し、受信したＲＥＬＣＯＭＰメッセージに含まれるユーザユーザ情報要素の中に、ＩＰネットワークを介した音声通信を希望する旨の情報が含まれていると判断した場合に、呼設定受付メッセージを、発信側の無線端末装置に送信し、ＳＥＴＵＰメッセージを受信した際に、発信側の無線端末装置と接続し、ＩＰネットワークを介した音声通信が可能な状態に遷移し、切断メッセージを任意のＩＳＤＮターミナルアダプタに送信し、チャンネル回線を切断し、任意のＩＳＤＮターミナルアダプタとＩＰネットワークを介した音声通信を行い、ＳＥＴＵＰ送信手段は、音声通信の開始指示が行われた際に、第１のＩＰアドレス情報を既に取得しているか否かを判断し、第１のＩＰアドレス情報を取得していないと判断した場合は、第１のＩＰアドレス取得手段により第１のＩＰアドレス情報を取得し、該取得した第１のＩＰアドレス情報と、第２のＩＰアドレス情報の提示要求と、をユーザユーザ情報要素に含め、着信側の無線端末装置の電話番号を設定したＳＥＴＵＰメッセージを任意のＩＳＤＮターミナルアダプタに送信し、第１のＩＰアドレス情報を既に取得していると判断した場合は、第１のＩＰアドレス取得手段により既に取得した第１のＩＰアドレス情報と、第２のＩＰアドレス情報の提示要求と、をユーザユーザ情報要素に含め、着信側の無線端末装置の電話番号を設定したＳＥＴＵＰメッセージを任意のＩＳＤＮターミナルアダプタに送信することを特徴とするものである。
【００１３】
また、本発明にかかるＩＳＤＮターミナルアダプタにおいて、通信手段は、受信したＲＥＬＣＯＭＰメッセージに含まれるユーザユーザ情報要素の中に、ＩＰネットワークを介した音声通信が出来ない旨の情報が含まれていると判断した場合は、任意のＩＳＤＮターミナルアダプタとＩＰネットワークを介した音声通信を行わず、処理を終了し、ＩＰネットワークを介した音声通信が出来ない旨の情報を、発信側の無線端末装置に通知することを特徴とするものである。
【００１４】
また、本発明にかかるＩＳＤＮターミナルアダプタは、ＩＳＰ（internet service provider ）から第１のＩＰ（internet protocol ）アドレス情報を取得する第１のＩＰアドレス取得手段と、任意のＩＳＤＮターミナルアダプタから第２のＩＰアドレス情報を取得する第２のＩＰアドレス取得手段と、第１のＩＰアドレス情報と、第２のＩＰアドレス情報と、を基に、任意のＩＳＤＮターミナルアダプタとＩＰネットワークを介した音声通信を行う通信手段と、を有するＩＳＤＮターミナルアダプタであって、第２のＩＰアドレス取得手段は、任意のＩＳＤＮターミナルアダプタからＩＳＤＮ（integrated services digital network ）のユーザユーザ情報要素を含むＳＥＴＵＰメッセージを受信した際に、ユーザユーザ情報要素を解析し、ユーザユーザ情報要素の中に含まれる第２のＩＰアドレス情報を取得し、通信手段は、ユーザユーザ情報要素を解析し、ユーザユーザ情報要素の中に、第２のＩＰアドレス情報と、第１のＩＰアドレス情報の提示要求と、が含まれていると判断し、尚且つ、任意のＩＳＤＮターミナルアダプタとＩＰネットワークを介した音声通信を行う場合は、第１のＩＰアドレス情報を既に取得しているか否かを判断し、第１のＩＰアドレス情報を取得していないと判断した場合は、第１のＩＰアドレス取得手段により第１のＩＰアドレス情報を取得し、ＩＰネットワークを介した音声通信を希望する旨の情報をユーザユーザ情報要素に含め、ユーザユーザ情報要素を含むＲＥＬＣＯＭＰメッセージを任意のＩＳＤＮターミナルアダプタに送信し、第１のＩＰアドレス情報を既に取得していると判断した場合は、ＩＰネットワークを介した音声通信を希望する旨の情報をユーザユーザ情報要素に含め、ユーザユーザ情報要素を含むＲＥＬＣＯＭＰメッセージを任意のＩＳＤＮターミナルアダプタに送信するＲＥＬＣＯＭＰ送信手段と、ＩＰネットワークを介した音声通信を希望する旨の情報をユーザユーザ情報要素に含めたＲＥＬＣＯＭＰメッセージを送信した際に、ＩＰネットワークを介した音声通信が可能な状態に遷移し、第１のＩＰアドレス取得手段により取得した第１のＩＰアドレス情報をユーザユーザ情報要素に含めたＳＥＴＵＰメッセージを任意のＩＳＤＮターミナルアダプタに送信するＳＥＴＵＰ送信手段と、ＳＥＴＵＰメッセージを送信した後に、任意のＩＳＤＮターミナルアダプタから切断メッセージを受信するＲＥＬＣＯＭＰ受信手段と、を有し、切断メッセージを受信した際に、任意のＩＳＤＮターミナルアダプタとＩＰネットワークを介した音声通信を行うことを特徴とするものである。
【００１５】
また、本発明にかかるＩＳＤＮターミナルアダプタは、任意のＩＳＤＮターミナルアダプタとＩＰネットワークを介した音声通信を行うための所定の条件を設定する条件設定手段を有し、ユーザユーザ情報要素を解析し、該解析したユーザユーザ情報要素が所定の条件を満たす場合は、任意のＩＳＤＮターミナルアダプタとＩＰネットワークを介した音声通信を可能と判断することを特徴とするものである。
【００１６】
また、本発明にかかる音声通信システムは、第１のＩＳＤＮ（integrated services digital network ）ターミナルと、第２のＩＳＤＮターミナルと、を有し、ＩＳＤＮターミナル間でＩＰ（internet protocol ）ネットワークを介した音声通信を行う音声通信システムであって、第１のＩＳＤＮターミナルは、ＩＳＰ（internet service provider ）から第１のＩＰアドレス情報を取得する第１のＩＰアドレス取得手段と、第１のＩＰアドレス情報と、ＩＳＤＮのユーザユーザ情報要素と、を用いて、第２のＩＳＤＮターミナルアダプタから第２のＩＰアドレス情報を取得する第２のＩＰアドレス取得手段と、第１のＩＰアドレス情報と、第２のＩＰアドレス情報と、を基に、第２のＩＳＤＮターミナルアダプタとＩＰネットワークを介した音声通信を行う通信手段と、を有し、第２のＩＰアドレス取得手段は、音声通信の開始指示が行われた際に、第１のＩＰアドレス情報と、第２のＩＰアドレス情報の提示要求と、をユーザユーザ情報要素に含め、ユーザユーザ情報要素を含むＳＥＴＵＰメッセージを第２のＩＳＤＮターミナルアダプタに送信するＳＥＴＵＰ送信手段と、第２のＩＳＤＮターミナルアダプタから、第２のＩＰアドレス情報を含むユーザユーザ情報要素が含まれたＲＥＬＣＯＭＰメッセージを受信するＲＥＬＣＯＭＰ受信手段と、を有し、受信したＲＥＬＣＯＭＰメッセージに含まれるユーザユーザ情報要素の中から第２のＩＰアドレス情報を取得し、通信手段は、ＲＥＬＣＯＭＰメッセージを受信した際に、チャンネル回線を切断し、受信したＲＥＬＣＯＭＰメッセージに含まれるユーザユーザ情報要素の中に、第２のＩＰアドレス情報と、ＩＰネットワークを介した音声通信を希望する旨の情報と、が含まれていると判断した場合に、ＩＰネットワークを介した音声通信が可能な状態に遷移し、第２のＩＳＤＮターミナルアダプタとＩＰネットワークを介した音声通信を行い、ＳＥＴＵＰ送信手段は、音声通信の開始指示が行われた際に、第１のＩＰアドレス情報を既に取得しているか否かを判断し、第１のＩＰアドレス情報を取得していないと判断した場合は、第１のＩＰアドレス取得手段により第１のＩＰアドレス情報を取得し、該取得した第１のＩＰアドレス情報と、第２のＩＰアドレス情報の提示要求と、をユーザユーザ情報要素に含め、ユーザユーザ情報要素を含むＳＥＴＵＰメッセージを第２のＩＳＤＮターミナルアダプタに送信し、第１のＩＰアドレス情報を既に取得していると判断した場合は、第１のＩＰアドレス取得手段により既に取得した第１のＩＰアドレス情報と、第２のＩＰアドレス情報の提示要求と、をユーザユーザ情報要素に含め、ユーザユーザ情報要素を含むＳＥＴＵＰメッセージを第２のＩＳＤＮターミナルアダプタに送信することを特徴とするものである。
【００１７】
また、本発明にかかる音声通信システムにおいて、第１のＩＳＤＮターミナルアダプタは、受信したＲＥＬＣＯＭＰメッセージに含まれるユーザユーザ情報要素の中に、ＩＰネットワークを介した音声通信が出来ない旨の情報が含まれていると判断した場合は、任意のＩＳＤＮターミナルアダプタとＩＰネットワークを介した音声通信を行わず、処理を終了し、ＩＰネットワークを介した音声通信が出来ない旨の情報を、音声通信の開始指示を行った端末に通知することを特徴とするものである。
【００１８】
また、本発明にかかる音声通信システムにおいて、第２のＩＳＤＮターミナルアダプタは、第１のＩＳＤＮターミナルアダプタから第１のＩＰアドレス情報を取得する第１のＩＰアドレス取得手段と、ＩＳＰから第２のＩＰアドレス情報を取得する第２のＩＰアドレス取得手段と、第１のＩＰアドレス情報と、第２のＩＰアドレス情報と、を基に、第１のＩＳＤＮターミナルアダプタとＩＰネットワークを介した音声通信を行う通信手段と、を有し、第１のＩＰアドレス取得手段は、第１のＩＳＤＮターミナルアダプタからＩＳＤＮのユーザユーザ情報要素を含むＳＥＴＵＰメッセージを受信した際に、ユーザユーザ情報要素を解析し、ユーザユーザ情報要素の中に含まれる第１のＩＰアドレス情報を取得し、通信手段は、ユーザユーザ情報要素を解析し、ユーザユーザ情報要素の中に、第１のＩＰアドレス情報と、第２のＩＰアドレス情報の提示要求と、が含まれていると判断し、尚且つ、第１のＩＳＤＮターミナルアダプタとＩＰネットワークを介した音声通信を行う場合は、第２のＩＰアドレス情報を既に取得しているか否かを判断し、第２のＩＰアドレス情報を取得していないと判断した場合は、第２のＩＰアドレス取得手段により第２のＩＰアドレス情報を取得し、該取得した第２のＩＰアドレス情報と、ＩＰネットワークを介した音声通信を希望する旨の情報と、をユーザユーザ情報要素に含め、ユーザユーザ情報要素を含むＲＥＬＣＯＭＰメッセージを第１のＩＳＤＮターミナルアダプタに送信し、第１のＩＰアドレス情報と、第２のＩＰアドレス情報と、を基に、第１のＩＳＤＮターミナルアダプタとＩＰネットワークを介した音声通信を行い、第２のＩＰアドレス情報を既に取得していると判断した場合は、第２のＩＰアドレス取得手段により既に取得した第２のＩＰアドレス情報と、ＩＰネットワークを介した音声通信を希望する旨の情報と、をユーザユーザ情報要素に含め、ユーザユーザ情報要素を含むＲＥＬＣＯＭＰメッセージを第１のＩＳＤＮターミナルアダプタに送信し、第１のＩＰアドレス情報と、第２のＩＰアドレス情報と、を基に、第１のＩＳＤＮターミナルアダプタとＩＰネットワークを介した音声通信を行うことを特徴とするものである。
【００１９】
また、本発明にかかる音声通信システムは、第１のＩＳＤＮ（integrated services digital network ）ターミナルと、第２のＩＳＤＮターミナルと、を有し、ＩＳＤＮターミナル間でＩＰ（internet protocol ）ネットワークを介した音声通信を行う音声通信システムであって、第１のＩＳＤＮターミナルアダプタは、ＩＳＰ（internet service provider ）から第１のＩＰ（internet protocol ）アドレス情報を取得する第１のＩＰアドレス取得手段と、第１のＩＰアドレス情報と、ＩＳＤＮのユーザユーザ情報要素と、を用いて、第２のＩＳＤＮターミナルアダプタから第２のＩＰアドレス情報を取得する第２のＩＰアドレス取得手段と、第１のＩＰアドレス情報と、第２のＩＰアドレス情報と、を基に、第２のＩＳＤＮターミナルアダプタとＩＰネットワークを介した音声通信を行う通信手段と、を有し、第２のＩＰアドレス取得手段は、発信側の無線端末装置から、着信側の無線端末装置の電話番号と、発信側の無線端末装置の電話番号と、を含むＳＥＴＵＰメッセージを受信し、音声通信の開始指示が行われた際に、第１のＩＰアドレス情報と、第２のＩＰアドレス情報の提示要求と、をユーザユーザ情報要素に含め、着信側の無線端末装置の電話番号を設定したＳＥＴＵＰメッセージを第２のＩＳＤＮターミナルアダプタに送信するＳＥＴＵＰ送信手段と、第２のＩＳＤＮターミナルアダプタから、ＩＰネットワークを介した音声通信を希望する旨の情報を含むユーザユーザ情報要素が含まれたＲＥＬＣＯＭＰメッセージを受信するＲＥＬＣＯＭＰ受信手段と、第２のＩＳＤＮターミナルアダプタから、第２のＩＰアドレス情報を含むユーザユーザ情報要素が含まれたＳＥＴＵＰメッセージを受信するＳＥＴＵＰ受信手段と、を有し、受信したＳＥＴＵＰメッセージに含まれるユーザユーザ情報要素の中から第２のＩＰアドレス情報を取得し、通信手段は、ＲＥＬＣＯＭＰメッセージを受信した際に、チャンネル回線を切断し、受信したＲＥＬＣＯＭＰメッセージに含まれるユーザユーザ情報要素の中に、ＩＰネットワークを介した音声通信を希望する旨の情報が含まれていると判断した場合に、呼設定受付メッセージを、発信側の無線端末装置に送信し、ＳＥＴＵＰメッセージを受信した際に、発信側の無線端末装置と接続し、ＩＰネットワークを介した音声通信が可能な状態に遷移し、切断メッセージを第２のＩＳＤＮターミナルアダプタに送信し、チャンネル回線を切断し、第２のＩＳＤＮターミナルアダプタとＩＰネットワークを介した音声通信を行い、ＳＥＴＵＰ送信手段は、音声通信の開始指示が行われた際に、第１のＩＰアドレス情報を既に取得しているか否かを判断し、第１のＩＰアドレス情報を取得していないと判断した場合は、第１のＩＰアドレス取得手段により第１のＩＰアドレス情報を取得し、該取得した第１のＩＰアドレス情報と、第２のＩＰアドレス情報の提示要求と、をユーザユーザ情報要素に含め、着信側の無線端末装置の電話番号を設定したＳＥＴＵＰメッセージを任意のＩＳＤＮターミナルアダプタに送信し、第１のＩＰアドレス情報を既に取得していると判断した場合は、第１のＩＰアドレス取得手段により既に取得した第１のＩＰアドレス情報と、第２のＩＰアドレス情報の提示要求と、をユーザユーザ情報要���に含め、着信側の無線端末装置の電話番号を設定したＳＥＴＵＰメッセージを第２のＩＳＤＮターミナルアダプタに送信することを特徴とするものである。
【００２０】
また、本発明にかかる音声通信システムにおいて、第１のＩＳＤＮターミナルアダプタは、受信したＲＥＬＣＯＭＰメッセージに含まれるユーザユーザ情報要素の中に、ＩＰネットワークを介した音声通信が出来ない旨の情報が含まれていると判断した場合は、第２のＩＳＤＮターミナルアダプタとＩＰネットワークを介した音声通信を行わず、処理を終了し、ＩＰネットワークを介した音声通信が出来ない旨の情報を、発信側の無線端末装置に通知することを特徴とするものである。
【００２１】
また、本発明にかかる音声通信システムにおいて、第２のＩＳＤＮターミナルアダプタは、第１のＩＳＤＮターミナルアダプタから第１のＩＰアドレス情報を取得する第１のＩＰアドレス取得手段と、ＩＳＰから第２のＩＰアドレス情報を取得する第２のＩＰアドレス取得手段と、第１のＩＰアドレス情報と、第２のＩＰアドレス情報と、を基に、第１のＩＳＤＮターミナルアダプタとＩＰネットワークを介した音声通信を行う通信手段と、を有し、第１のＩＰアドレス取得手段は、第１のＩＳＤＮターミナルアダプタからＩＳＤＮ（integrated services digital network ）のユーザユーザ情報要素を含むＳＥＴＵＰメッセージを受信した際に、ユーザユーザ情報要素を解析し、ユーザユーザ情報要素の中に含まれる第１のＩＰアドレス情報を取得し、通信手段は、ユーザユーザ情報要素を解析し、ユーザユーザ情報要素の中に、第１のＩＰアドレス情報と、第２のＩＰアドレス情報の提示要求と、が含まれていると判断し、尚且つ、第１のＩＳＤＮターミナルアダプタとＩＰネットワークを介した音声通信を行う場合は、第２のＩＰアドレス情報を既に取得しているか否かを判断し、第２のＩＰアドレス情報を取得していないと判断した場合は、第２のＩＰアドレス取得手段により第２のＩＰアドレス情報を取得し、ＩＰネットワークを介した音声通信を希望する旨の情報をユーザユーザ情報要素に含め、ユーザユーザ情報要素を含むＲＥＬＣＯＭＰメッセージを第１のＩＳＤＮターミナルアダプタに送信し、第２のＩＰアドレス情報を既に取得していると判断した場合は、ＩＰネットワークを介した音声通信を希望する旨の情報をユーザユーザ情報要素に含め、ユーザユーザ情報要素を含むＲＥＬＣＯＭＰメッセージを第１のＩＳＤＮターミナルアダプタに送信するＲＥＬＣＯＭＰ送信手段と、ＩＰネットワークを介した音声通信を希望する旨の情報をユーザユーザ情報要素に含めたＲＥＬＣＯＭＰメッセージを送信した際に、ＩＰネットワークを介した音声通信が可能な状態に遷移し、第２のＩＰアドレス取得手段により取得した第２のＩＰアドレス情報をユーザユーザ情報要素に含めたＳＥＴＵＰメッセージを第１のＩＳＤＮターミナルアダプタに送信するＳＥＴＵＰ送信手段と、ＳＥＴＵＰメッセージを送信した後に、第１のＩＳＤＮターミナルアダプタから切断メッセージを受信するＲＥＬＣＯＭＰ受信手段と、を有し、切断メッセージを受信した際に、第１のＩＳＤＮターミナルアダプタとＩＰネットワークを介した音声通信を行うことを特徴とするものである。
【００２２】
また、本発明にかかる音声通信システムにおいて、第２のＩＳＤＮターミナルアダプタは、任意のＩＳＤＮターミナルアダプタとＩＰネットワークを介した音声通信を行うための所定の条件を設定する条件設定手段を有し、ユーザユーザ情報要素を解析し、該解析したユーザユーザ情報要素が所定の条件を満たす場合は、第１のＩＳＤＮターミナルアダプタとＩＰネットワークを介した音声通信を可能と判断することを特徴とするものである。
【００２３】
また、本発明にかかる音声通信方法は、ＩＳＰ（internet service provider ）から第１のＩＰ（internet protocol ）アドレス情報を取得する第１のＩＰアドレス取得工程と、第１のＩＰアドレス情報と、ＩＳＤＮ（integrated services digital network ）のユーザユーザ情報要素と、を用いて、任意のＩＳＤＮターミナルアダプタから第２のＩＰアドレス情報を取得する第２のＩＰアドレス取得工程と、第１のＩＰアドレス情報と、第２のＩＰアドレス情報と、を基に、任意のＩＳＤＮターミナルアダプタとＩＰネットワークを介した音声通信を行う通信工程と、を、ＩＳＤＮターミナルアダプタにおいて行う音声通信方法であって、第２のＩＰアドレス取得工程は、音声通信の開始指示が行われた際に、第１のＩＰアドレス情報と、第２のＩＰアドレス情報の提示要求と、をユーザユーザ情報要素に含め、ユーザユーザ情報要素を含むＳＥＴＵＰメッセージを任意のＩＳＤＮターミナルアダプタに送信するＳＥＴＵＰ送信工程と、任意のＩＳＤＮターミナルアダプタから、第２のＩＰアドレス情報を含むユーザユーザ情報要素が含まれたＲＥＬＣＯＭＰメッセージを受信するＲＥＬＣＯＭＰ受信工程と、を有し、ＩＳＤＮターミナルアダプタが、受信したＲＥＬＣＯＭＰメッセージに含まれるユーザユーザ情報要素の中から第２のＩＰアドレス情報を取得し、通信工程は、ＲＥＬＣＯＭＰメッセージを受信した際に、チャンネル回線を切断し、受信したＲＥＬＣＯＭＰメッセージに含まれるユーザユーザ情報要素の中に、第２のＩＰアドレス情報と、ＩＰネットワークを介した音声通信を希望する旨の情報と、が含まれていると判断した場合に、ＩＰネットワークを介した音声通信が可能な状態に遷移し、任意のＩＳＤＮターミナルアダプタとＩＰネットワークを介した音声通信を行い、ＳＥＴＵＰ送信工程は、音声通信の開始指示が行われた際に、第１のＩＰアドレス取得工程により、第１のＩＰアドレス情報を既に取得しているか否かを判断し、第１のＩＰアドレス情報を取得していないと判断した場合は、第１のＩＰアドレス情報を取得し、該取得した第１のＩＰアドレス情報と、第２のＩＰアドレス情報の提示要求と、をユーザユーザ情報要素に含め、ユーザユーザ情報要素を含むＳＥＴＵＰメッセージを任意のＩＳＤＮターミナルアダプタに送信し、第１のＩＰアドレス情報を既に取得していると判断した場合は、第１のＩＰアドレス取得工程により既に取得した第１のＩＰアドレス情報と、第２のＩＰアドレス情報の提示要求と、をユーザユーザ情報要素に含め、ユーザユーザ情報要素を含むＳＥＴＵＰメッセージを任意のＩＳＤＮターミナルアダプタに送信することを特徴とするものである。
【００２４】
また、本発明にかかる音声通信方法は、ＩＳＰ（internet service provider ）から第１のＩＰ（internet protocol ）アドレス情報を取得する第１のＩＰアドレス取得工程と、任意のＩＳＤＮターミナルアダプタから第２のＩＰアドレス情報を取得する第２のＩＰアドレス取得工程と、第１のＩＰアドレス情報と、第２のＩＰアドレス情報と、を基に、任意のＩＳＤＮターミナルアダプタとＩＰネットワークを介した音声通信を行う通信工程と、を、ＩＳＤＮターミナルアダプタが行う音声通信方法であって、第２のＩＰアドレス取得工程は、任意のＩＳＤＮターミナルアダプタからＩＳＤＮ（integrated services digital network ）のユーザユーザ情報要素を含むＳＥＴＵＰメッセージを受信した際に、ユーザユーザ情報要素を解析し、ユーザユーザ情報要素の中に含まれる第２のＩＰアドレス情報を取得し、通信工程は、ユーザユーザ情報要素を解析し、ユーザユーザ情報要素の中に、第２のＩＰアドレス情報と、第１のＩＰアドレス情報の提示要求と、が含まれていると判断し、尚且つ、任意のＩＳＤＮターミナルアダプタとＩＰネットワークを介した音声通信を行う場合は、第１のＩＰアドレス取得工程により、第１のＩＰアドレス情報を既に取得しているか否かを判断し、第１のＩＰアドレス情報を取得していないと判断した場合は、第１のＩＰアドレス情報を取得し、該取得した第１のＩＰアドレス情報と、ＩＰネットワークを介した音声通信を希望する旨の情報と、をユーザユーザ情報要素に含め、ユーザユーザ情報要素を含むＲＥＬＣＯＭＰメッセージを任意のＩＳＤＮターミナルアダプタに送信し、第１のＩＰアドレス情報と、第２のＩＰアドレス情報と、を基に、任意のＩＳＤＮターミナルアダプタとＩＰネットワークを介した音声通信を行い、第１のＩＰアドレス情報を既に取得していると判断した場合は、第１のＩＰアドレス取得工程により既に取得した第１のＩＰアドレス情報と、ＩＰネットワークを介した音声通信を希望する旨の情報と、をユーザユーザ情報要素に含め、ユーザユーザ情報要素を含むＲＥＬＣＯＭＰメッセージを任意のＩＳＤＮターミナルアダプタに送信し、第１のＩＰアドレス情報と、第２のＩＰアドレス情報と、を基に、任意のＩＳＤＮターミナルアダプタとＩＰネットワークを介した音声通信を行うことを特徴とするものである。
【００２５】
【発明の実施の形態】
以下、本発明に係るＩＳＤＮターミナルアダプタ、ＩＰネットワークを介した音声通信システムおよびＩＰネットワークを介した音声通信方法を、実施の形態によって詳細に説明する。まず、本発明に係るＩＳＤＮターミナルアダプタおよびＩＰネットワークを介した音声通信システムについて説明する。
【００２６】
＜ＩＳＤＮターミナルアダプタ、音声通信システム＞
本発明に係るＩＳＤＮターミナルアダプタは、ＩＳＤＮのＤチャンネルの呼制御メッセージのユーザユーザ情報要素を用い、任意の通信相手先のＩＳＤＮターミナルアダプタと互いのＩＰアドレス情報を交換する。ＩＰアドレス交換後、ＩＰネットワークを介した音声通信（ＶｏＩＰ）を行う。
【００２７】
別言すれば、発信側ＩＳＤＮターミナルアダプタは、ＩＳＤＮのＤチャンネルにおけるユーザ同士のコミュニケーションを可能とするユーザユーザ情報要素を用いて、着信側（通信を希望する相手先の）ＩＳＤＮターミナルアダプタと互いのＩＰアドレスを教えあう。着信側ＩＰアドレス情報を取得すると、ＶｏＩＰ可能な状態へ遷移する。
着信側ＩＳＤＮターミナルアダプタは、発信側ＩＰアドレスを取得すると、ＶｏＩＰ可能な状態へ遷移する。
そして、両ＩＳＤＮターミナルアダプタ間は、互いのＩＰアドレス情報を用いてＶｏＩＰを行う。
このＩＳＤＮターミナルアダプタとしては、例えば、発信側のＩＳＤＮターミナルアダプタとして第１のＩＳＤＮターミナルアダプタ、着信側のＩＳＤＮターミナルアダプタとして第２のＩＳＤＮターミナルアダプタがあげられる。
【００２８】
第１のＩＳＤＮターミナルアダプタは、ＶｏＩＰ要求通知手段とＶｏＩＰ手段とを有する。ＶｏＩＰ要求通知手段は、ユーザユーザ情報要素を用い、ＶｏＩＰによる音声通話を任意のＩＳＤＮターミナルアダプタに要求する手段である。ＶｏＩＰ手段は、ＩＰネットワークを介した音声通信を行う手段である。
このＩＳＤＮターミナルアダプタは、ユーザから任意の相手先とＶｏＩＰによる音声通話を行うよう指示されると（開始指示）、発信側ＩＰアドレスと、受信側ＩＰアドレスの提示要求とを記載したユーザユーザ情報を含む呼制御メッセージ（ＶｏＩＰ要求）をＩＳＤＮ網に流す（ＶｏＩＰ要求通知手段）。この呼制御メッセージは、着信側ＩＳＤＮターミナルアダプタに到達する。
着信側ＩＳＤＮターミナルアダプタから着信側ＩＰアドレスを含む応答通知を受信すると、ＶｏＩＰ可能な状態へ遷移する。そして、着信側ＩＰアドレスおよび発信側ＩＰアドレスを用いてＶｏＩＰによる音声通話を行う（ＶｏＩＰ手段）。
なお、上記応答通知には、着信側ＩＰアドレスの他に、着信側ＩＳＤＮターミナルアダプタのユーザもＩＰネットワークを介した音声通信を希望する旨の情報を含めることが好ましい。
また、上記開始指示が入力された際にＩＰアドレスを有していなければ、ＩＳＰからＩＰアドレスを取得してもよい。上記ＶｏＩＰ要求通知手段は、ＩＳＰからＩＰアドレスが付与された後、着信側ＩＳＤＮターミナルアダプタに上記呼制御メッセージを送信する。
【００２９】
第２のＩＳＤＮターミナルアダプタは、ユーザユーザ情報要素解析手段と応答手段とＶｏＩＰ手段とを有する。ＶｏＩＰ手段としては、上記第１のＩＳＤＮターミナルアダプタのＶｏＩＰ手段または当該手段と同等の全ての手段を採用できる。
ユーザユーザ情報要素解析手段は、通信相手方のＩＳＤＮターミナルアダプタから入力されたＩＳＤＮのユーザユーザ情報要素を解析する。
応答手段は、ＶｏＩＰによる音声通話を希望する旨の情報と発信側ＩＰアドレスとを含む応答通知を、ユーザユーザ情報要素を用いて上記通信相手方のＩＳＤＮターミナルアダプタへ送信する。
第２のＩＳＤＮターミナルアダプタは、発信側ＩＳＤＮターミナルアダプタから入力されたユーザユーザ情報要素に、着信側ＩＰアドレスの提示要求と発信側ＩＰアドレスとが含まれており、かつ、ユーザが発信側とＶｏＩＰによる音声通話を希望する場合に応答通知を送信する（ユーザユーザ情報要素解析手段、応答手段）。そして、ＶｏＩＰ可能な状態へ遷移し、発信側ＩＳＤＮターミナルアダプタとの間でＶｏＩＰによる音声通話を行う（ＶｏＩＰ手段）。
なお、応答通知を送信する場合にＩＰアドレスを有していなければ、ＩＳＰからＩＰアドレスを取得できるようにしてもよい。
また、本発明に係るＩＳＤＮターミナルアダプタは、上記第１および第２のＩＳＤＮターミナルアダプタの機能を有していてもよい。
【００３０】
本発明に係る音声通信システムは、複数のＩＳＤＮターミナル間でＩＰネットワークを介した音声通信（ＶｏＩＰ）可能なシステムである。
この音声通信システムの音声通信を希望する側（発信側）ＩＳＤＮターミナルアダプタは、ＩＳＤＮのユーザユーザ情報要素を用い、任意の相手方（着信側）ＩＳＤＮターミナルアダプタと互いのＩＰアドレス情報を交換する。そして、この着信側ＩＳＤＮターミナルアダプタと、互いのＩＰアドレスを用いてＶｏＩＰによる音声通話を行う。
例えば、発信側ＩＳＤＮターミナルアダプタとして上記第１のＩＳＤＮターミナルアダプタ、着信側ＩＳＤＮターミナルアダプタとして上記第２のＩＳＤＮターミナルアダプタを採用すれば、上記システムを実現できる。
以下、本発明に係るＩＰネットワークを介した音声通信システムを好適に実施した形態を、図１を参照しながら詳述し、あわせて本発明に係るＩＳＤＮターミナルアダプタについても詳述する。
【００３１】
図１には、本実施の形態におけるＩＳＤＮターミナルアダプタの構成例を示す。このＩＳＤＮターミナルアダプタは、データ通信制御部１などの各種通信機器の制御部とデータ・音声切替部４とＩＳＤＮ網制御部５とを有する。本実施の形態では、図１に示すように、上記制御部として、データ通信制御部１、音声通信制御部２および無線通信制御部３を採用する。
このＩＳＤＮターミナルアダプタは、少なくともＩＳＤＮのＤチャンネル通信を行うことができ、かつ、ＩＳＰからＩＰアドレスを取得できるものとする。Ｄチャンネル通信とは、ユーザユーザ情報要素を含む呼制御メッセージをＩＳＤＮのＤチャンネルにより通信相手方と送受信することをいう。
【００３２】
データ通信制御部１は、ＰＣ（personal computer ）などのデータ端末を、ＩＳＤＮ網制御部５を介してＩＳＤＮ網に接続し、データ端末によるデータ通信を実現する。例えば図１に示すように、データ端末は、ＩＳＤＮ網を介してＩＳＰと接続されれば、インターネット通信を行える。
音声通信制御部２は、固定電話機などの音声通信端末を、ＩＳＤＮ網制御部５を介してＩＳＤＮ網に接続する。音声通信端末は、ＩＳＤＮ網と接続し、所定の手順（プロトコル）を踏むことで、音声通信を行うことができる。
無線通信制御部３は、ＰＨＳ（personal handy-phone system ）などの無線端末と無線通信ができ、当該端末を、ＩＳＤＮ網制御部５を介してＩＳＤＮ網に接続する。無線端末は、ＩＳＤＮ網と接続し、所定の手順（プロトコル）を踏むことで、音声通信および／またはデータ通信を行うことができる。
データ・音声切替部４は、いずれの制御部（図１の場合は、データ通信制御部１、音声通信制御部２、無線通信制御部３）をＩＳＤＮ網制御部５に接続するか選択する。
ＩＳＤＮ網制御部５は、ＩＳＤＮ網への呼制御と通信を行う。本実施の形態に係るＩＳＤＮ網制御部５は、少なくともユーザユーザ情報要素を含む呼制御メッセージの送受信を行う。
【００３３】
（第１の制御例）
第１の制御例では、着信側ＩＳＤＮターミナルアダプタが、上記ＶｏＩＰ要求を受信すると、回線（Ｄチャンネル通信）を切断することなしに応答通知を返信する例を示す。また、発信側ＩＳＤＮターミナルアダプタと接続する固定電話機と着信側ＩＳＤＮターミナルアダプタと接続する固定電話機との間でＶｏＩＰによる音声通話を行うものとする。
【００３４】
また、発信側ＩＳＤＮターミナルアダプタは、以下の制御を開始する前に、ＩＳＰからＩＰアドレスを取得している（付与されている）ものとする。着信側ＩＳＤＮターミナルアダプタは、少なくとも発信側ＩＳＤＮターミナルアダプタから希望通知が入力されたときには、ＩＳＰからＩＰアドレスが付与されているものとする。
ＩＰアドレスの取得方法としては、公知の全ての方法を採用できる。
例えば、データ通信制御部１や無線通信制御部３は、接続する端末がデータ通信を行う場合、ＩＳＤＮ網制御部５に、ＩＳＤＮ網を介して接続するＩＳＰへ呼接続要求を送出させる。ＩＳＰは、ユーザ認証等を行い、上記ＩＳＤＮターミナルアダプタにＩＰアドレスを付与可能か判断する。付与可能であれば、ＩＰアドレスを上記ＩＳＤＮターミナルアダプタに割り当てる。これにより、ＩＳＤＮターミナルアダプタは、ＩＰアドレスを取得する。
なお、ＩＳＤＮ網制御部５は、データ通信を行わない場合であってもＩＳＰと接続し、ＩＰアドレスを取得してよい。つまり、ユーザから直接または間接的に明示または黙示のＩＰアドレス取得指示が入力されると、ＩＳＰからＩＰアドレスを取得する。
【００３５】
ＩＳＤＮ網制御部５は、ユーザからＶｏＩＰによる音声通話の開始指示が入力されたことをトリガにして以下の制御を開始する。開始指示の入力方法は、任意に設定できる。例えば、図３に示すように、固定電話機がオフフック状態となり通信を希望する相手先の電話番号とＶｏＩＰによる音声通話を希望することを示す所定の入力（「＃＃＃」など）とがあった場合、ＩＳＤＮ網制御部５は、上記開始指示が入力されたものと判断するように設定してもよい（図３：オンフック（番号入力））。
また、ＩＳＤＮ網制御部５は、音声通信制御部２を介して固定電話機にリングバックトーンを送出する。リングバックトーンは、ＶｏＩＰ可能な状態に遷移するまで、あるいはＶｏＩＰによる通信が不能であることが判明するまで送出する。
【００３６】
ＩＳＤＮ網制御部５は、図１０に示すユーザユーザ情報要素のユーザ情報欄にＶｏＩＰ要求（着信側ＩＰアドレスの提示要求と発信側ＩＰアドレス）を含む呼制御メッセージを、任意の相手方（着信側）のＩＳＤＮターミナルアダプタに送信する（ＶｏＩＰ要求通知手段）。
このユーザユーザ情報要素は、ＩＴＵ−Ｔ勧告Ｑ−９３１のＳＥＴＵＰ（呼設定）メッセージに含まれる。ＳＥＴＵＰメッセージは、図７に示す構造を有し、呼番号領域にユーザがＶｏＩＰによる音声通話を希望する相手先（着信側）の電話番号など、発着アドレス、発着サブアドレスのいずれかまたは複数を記載し、ユーザユーザ情報要素に上記ＶｏＩＰ要求を記載する。このＳＥＴＵＰメッセージは、ＩＳＤＮ網に流されると、上記呼番号領域に記載された電話番号に従い、上記相手先（着信側）のＩＳＤＮターミナルアダプタへ到達する（図３：ＳＥＴＵＰ（ＩＰ通知・ＩＰ要求））。
【００３７】
着信側ＩＳＤＮターミナルアダプタのＩＳＤＮ網制御部５は、ＩＳＤＮ網からＳＥＴＵＰメッセージ（図３：ＳＥＴＵＰ（ＩＰ通知・ＩＰ要求））を受信すると、このメッセージに含まれるユーザユーザ情報要素を解析する（ユーザユーザ情報要素解析手段）。
ユーザユーザ情報要素に上記ＶｏＩＰ要求が含まれている場合、ＩＰアドレスを取得済みであれば、発信側からＶｏＩＰ要求が入力されたことをユーザ（着信側）に通知する。例えば、音声通信制御部２に、固定電話機のリンガーを鳴動させてもよい（図３：リンガー鳴動）。
【００３８】
着信側ＩＳＤＮターミナルアダプタのＩＳＤＮ網制御部５は、ユーザが発信側とのＶｏＩＰによる音声通話を希望することを確認すると、発信側ＩＳＤＮターミナルアダプタへ応答通知を送信する（応答手段）。
応答通知は、ＩＳＤＮのＤチャンネルのＳＥＴＵＰメッセージに対する呼制御メッセージＲＥＬＣＯＭＰ（解放完了）メッセージ内のユーザユーザ情報要素に含める。ＲＥＬＣＯＭＰメッセージは、図８に示す構造を有し、呼番号領域に発信側の電話番号、ユーザユーザ情報要素内のユーザユーザ情報要素領域に着信側ＩＰアドレスとＶｏＩＰによる音声通話を希望する旨の情報とを含める。このＲＥＬＣＯＭＰメッセージは、ＳＥＴＵＰメッセージと同様に、ＩＳＤＮ網によって呼番号領域に記載された電話番号の相手、つまり発信側ＩＳＤＮターミナルアダプタへ届けられる（図３：ＲＥＬＣＯＭＰ（ＩＰ通知））。
なお、ＩＳＤＮ網制御部５は、ユーザがＶｏＩＰによる音声通話を希望しているか否かを任意の方法で判断／知得すればよい。例えば、図３に示す例では、固定電話機のリンガーを鳴動させた後、所定の時間内にオフフック状態となれば、上記ユーザがＶｏＩＰによる音声通話を希望するものと設定する。
【００３９】
また、着信側ＩＳＤＮターミナルアダプタのＩＳＤＮ網制御部５は、ＶｏＩＰ可能な状態へ遷移する（ＶｏＩＰ手段）。つまり、データ・音声切替部４を用いて音声通信制御部２と接続する。
【００４０】
着信側ＩＳＤＮターミナルアダプタのＩＳＤＮ網制御部５は、ＶｏＩＰによる音声通話ができない場合には、ユーザユーザ情報要素にその旨を記載したＲＥＬＣＯＭＰメッセージを発信側ＩＳＤＮターミナルアダプタへ送信する。そして、処理を終了する。前記したようにリンガーを鳴動させている場合には、鳴動を停止する。
ＶｏＩＰによる音声通話ができない場合とは、上記ユーザに発信側とのＶｏＩＰによる音声通話を行う意思がない場合や、ＩＰアドレスが付与されていない場合などがある。
【００４１】
発信側ＩＳＤＮターミナルアダプタは、ＲＥＬＣＯＭＰメッセージを受信すると、Ｄチャンネル通信を切断する。そして、このメッセージに含まれるユーザユーザ情報要素を解析する。
ユーザユーザ情報要素に上記応答通知が含まれている場合、ＩＳＤＮ網制御部５は、データ・音声切替部４を用いて音声通信制御部２と接続する（ＶｏＩＰ手段）。これにより、発信側および着信側のＩＳＤＮターミナルアダプタは、それぞれＶｏＩＰ可能な状態へ遷移したこととなる。
【００４２】
発信側／着信側ＩＳＤＮターミナルアダプタは、同じ音声通信技術を採用して発信側／着信側ＩＰアドレスを用いたＩＰネットワークを介した音声通信（ＶｏＩＰ）を行う。音声通信技術は、公知の全てのＩＰネットワークを介した音声通信技術を採用できる。どの技術を採用するかは、発信側および着信側のＩＳＤＮターミナルアダプタに予め設定できるようにしてもよい。また、発信側と着信側のＩＳＤＮターミナルアダプタは、ＶｏＩＰによる音声通話を開始する前にネゴシエーションを行い、お互いが使用できる技術の内の１または複数の技術を用いて音声通信を行うように設定してもよい。
【００４３】
例えば、図６に示すようなＩＰフレームに音声データをマッピングし、ＩＰネットワークにおける音声通信を行う技術を採用することもできる。
ＩＰフレームは、ＩＰヘッダ、ＵＤＰ（user datagram protocol）ヘッダ、音声データ（ＵＤＰペイロード）およびＣＲＣ（cyclic redundancy check ）を有する。
ＵＤＰパケットは、図４に示すようにマッピングする。図４に示すデータ領域（ＵＤＰペイロード）に音声データを入れる。音声データは、例えば、ＡＤＰＣＭ（adaptive differential pulse code modulation ）などで圧縮したデータ（圧縮データ）を採用できる。
ＩＰフレームは、図５に示すようにマッピングする。発信側ＩＳＤＮターミナルアダプタは、ＩＰヘッダ内の送信元ＩＰアドレスにこのアダプタに付与されたＩＰアドレスを記載する。送信先ＩＰアドレスには着信側ＩＳＤＮターミナルアダプタに付与されたＩＰアドレスを記載する。データ領域には上記ＵＤＰパケットを入れる。
従って、ＩＰフレームは、図６に示すようにマッピングされる。
【００４４】
ＩＳＤＮターミナルアダプタは、音声データを図６に示すようにマッピングしたＩＰフレームを、ＩＰネットワークを介して通信相手方のＩＳＤＮターミナルアダプタへ送信する。通信相手方のＩＳＤＮターミナルアダプタは、ＩＰパケットが入力されると、ＩＰヘッダ、ＵＤＰヘッダおよびＣＲＣを削除して圧縮データを取り出す。そして、この圧縮データを伸長して音声データを復元する。
【００４５】
発信側ＩＳＤＮターミナルアダプタは、上記ＲＥＬＣＯＭＰメッセージに応答通知が含まれていなかった場合、処理を終了する。この際、ＶｏＩＰによる音声通話が不能であることや理由などをユーザに通知してもよい。前記したようにリングバックトーンを送信している場合にはこれを停止する。
【００４６】
なお、図１１に示すように、発信側ＩＳＤＮターミナルアダプタは、上記開始指示が入力された際、ＩＰアドレスが割り当てられていなければ、ＩＳＰからＩＰアドレスを取得し、当該ＩＰアドレスを用いて上記処理を行うようにしてもよい。
また、図１２に示すように、着信側ＩＳＤＮターミナルアダプタは、上記応答通知を送信する際、ＩＰアドレスが割り当てられていなければ、ＩＳＰからＩＰアドレスを取得し、当該ＩＰアドレスを用いて上記処理を行うようにしてもよい。
【００４７】
（第２の制御例）
第２の制御例では、着信側のＩＳＤＮターミナルアダプタが上記希望通知を受信した場合、一旦回線を切断してから再度接続して応答通知を送信する例を示す。また、発信側のＩＳＤＮターミナルアダプタと接続するＰＨＳと着信側のＩＳＤＮターミナルアダプタと接続するＰＨＳとの間でＶｏＩＰによる音声通話を行うものとする。
また、上記第１の制御例と同様に、以下の制御を開始する前に、発信側ＩＳＤＮターミナルアダプタは、ＩＳＰからＩＰアドレスを取得している（付与されている）ものとする。着信側ＩＳＤＮターミナルアダプタは、少なくとも発信側ＩＳＤＮターミナルアダプタから希望通知が入力されたときには、ＩＳＰからＩＰアドレスが付与されているものとする。
【００４８】
発信側ＩＳＤＮターミナルアダプタのＩＳＤＮ制御部５は、ユーザからの開始指示に従い、ユーザユーザ情報要素を用いてＶｏＩＰ要求を着信側ＩＳＤＮターミナルアダプタへ送信する（ＶｏＩＰ要求通知手段）。ＶｏＩＰ要求は、上記第１の制御例におけるＶｏＩＰ要求と同等の同様のものを採用すればよい。
なお、ＰＨＳはＳＥＴＵＰメッセージをＩＳＤＮターミナルアダプタへ送信できるため、上記開始指示をＳＥＴＵＰメッセージ（図２：ＳＥＴＵＰ（相手番号電話＋着番号））とすることもできる。ＩＳＤＮターミナルアダプタは、このＳＥＴＵＰメッセージが入力されると、ユーザユーザ情報要素に着信側ＩＰアドレスの提示要求と発信側ＩＰアドレスとを含め、呼番号に相手先電話番号を設定したＳＥＴＵＰメッセージを作成する。そして、このメッセージを前記同様にＩＳＤＮ網に流す。ＩＳＤＮ網は、このメッセージを着信側ＩＳＤＮターミナルアダプタへ送信する（図２：ＳＥＴＵＰ（ＩＰ通知・ＩＰ要求））。
【００４９】
着信側ＩＳＤＮターミナルアダプタのＩＳＤＮ網制御部５は、前記同様に、発信側ＩＳＤＮターミナルアダプタから入力されたユーザユーザ情報要素を調べる（ユーザユーザ情報要素解析手段）。
上記ユーザユーザ情報要素にＶｏＩＰ要求が含まれており、かつ、所定の条件を満たす場合、上記ＳＥＴＵＰメッセージに対するＲＥＬＣＯＭＰメッセージのユーザユーザ情報要素にＶｏＩＰによる音声通話を行う旨の情報を加える。そして、このＲＥＬＣＯＭＰメッセージをＤチャンネル通信により発信側ＩＳＤＮターミナルアダプタへ送信する（図２：ＲＥＬＣＯＭＰ（ＶｏＩＰ  ＯＫ）、応答手段）。
上記所定の条件を満たしていない場合、ＲＥＬＣＯＭＰメッセージの情報要素にＶｏＩＰによる音声通話を行わない旨の情報を加え、このメッセージをＤチャンネル通信により発信側ＩＳＤＮターミナルアダプタへ送信する。
所定の条件は、任意に設定することができる。例えば、発信側ＩＳＤＮターミナルアダプタにＩＰアドレスが付与されていること、所定の相手からのＶｏＩＰ要求であることなどの条件を設定できる。
【００５０】
発信側ＩＳＤＮターミナルアダプタのＩＳＤＮ網制御部５は、上記ＲＥＬＣＯＭＰメッセージを受信するとＤチャンネル通信を切断する。
上記ＲＥＬＣＯＭＰメッセージにＶｏＩＰによる音声通信を行う旨の情報が含まれている場合、無線通信制御部３を用いてＣＡＬＬ  ＰＲＯＣ（呼設定受付）メッセージをＰＨＳに送信する。上記情報（音声通信を行う旨の情報）が含まれていなかった場合には、処理を終了する。
【００５１】
着信側ＩＳＤＮターミナルアダプタのＩＳＤＮ網制御部５は、上記ＲＥＬＣＯＭＰメッセージを発信すると、ＶｏＩＰ可能な状態へ遷移する（ＶｏＩＰ手段）。
本制御例では、音声通信端末としてＰＨＳを用いているため、ＩＳＤＮ網制御部５は、無線通信制御部３と接続し、ＰＨＳを用いたＶｏＩＰを可能な状態にする。
【００５２】
より詳しくは、ＩＳＤＮ網制御部５は、まず、データ音声切替部４に、接続する制御部を無線通信制御部３とするよう指示する。無線通信制御部３は、無線通信制御部３とＩＳＤＮ網制御部５とを接続する。そして、ＰＨＳに呼設定メッセージ（図２：ＳＥＴＵＰ）を送信する。ＰＨＳは、無線通信制御部３と接続すると、呼設定受付メッセージ（図２：ＣＡＬＬ  ＰＲＯＣ）、呼出メッセージ（図２：ＡＬＥＲＴ）、応答メッセージ（図２：ＣＯＮＮ）をＩＳＤＮ網制御部５へ順次送出する。これにより、ＰＨＳおよび着信側ＩＳＤＮターミナルアダプタはＶｏＩＰによる音声通話が可能な状態へ遷移する。ＩＳＤＮ網制御部５は、上記呼設定メッセージに対して所定のメッセージが返答されると、ユーザユーザ情報要素に着信側ＩＰアドレスを記載したＳＥＴＵＰメッセージを、Ｄチャンネル通信により発信側ＩＳＤＮターミナルアダプタへ送信する（図２：ＳＥＴＵＰ（ＩＰ通知））。つまり、着信側ＩＳＤＮターミナルアダプタは、ＰＨＳと接続中となると、着信側ＩＰアドレスを発信側ＩＳＤＮターミナルアダプタに通知する。また、ＰＨＳに対してＶｏＩＰ可能となったことを通知する（図２：ＣＯＮＮ  ＡＣＫ（応答確認））。
【００５３】
発信側ＩＳＤＮターミナルアダプタのＩＳＤＮ網制御部５は、上記ＳＥＴＵＰメッセージを受信すると、ＶｏＩＰ可能な状態へ遷移する。本例では、データ・音声切替部４を用いて無線通信制御部３と接続する（図２：ＣＯＮＮ、ＣＯＮＮ
ＡＣＫ、ＶｏＩＰ手段）。
また、ＲＥＬＣＯＭＰメッセージ（Ｑ−９３１の切断メッセージ）を着信側ＩＳＤＮターミナルアダプタへ送信し、Ｄチャンネル通信を切断する。
これにより、発信側および着信側のＩＳＤＮターミナルアダプタは、それぞれＶｏＩＰ可能な状態へ遷移したこととなる。
【００５４】
発信側／着信側ＩＳＤＮターミナルアダプタは、前記したようにＩＰネットワークを用いた音声通信を行えばよい。
【００５５】
発信側ＩＳＤＮターミナルアダプタは、上記ＲＥＬＣＯＭＰメッセージに応答通知が含まれていなかった場合、処理を終了する。この際、ＶｏＩＰによる音声通話が不能であることや理由などをユーザに通知してもよい。前記したようにリングバックトーンを送信している場合にはこれを停止する。
【００５６】
なお、図１３に示すように、発信側ＩＳＤＮターミナルアダプタは、上記開始指示が入力された際、ＩＰアドレスが割り当てられていなければ、ＩＳＰからＩＰアドレスを取得し、当該ＩＰアドレスを用いて上記処理を行うようにしてもよい。
また、図１４に示すように、着信側ＩＳＤＮターミナルアダプタは、上記応答通知を送信する際、ＩＰアドレスが割り当てられていなければ、ＩＳＰからＩＰアドレスを取得し、当該ＩＰアドレスを用いて上記処理を行うようにしてもよい。
次に、本発明に係るＩＰネットワークを介した音声通信方法について詳述する。
【００５７】
＜ＩＰネットワークを介した音声通信方法（方式）＞
本発明に係るＩＰネットワークを介した音声通信方法（方式）は、次のステップを行い、任意のＩＳＤＮターミナルアダプタ間でＩＰネットワークを介した音声通信（ＶｏＩＰ）を行う。
ステップ１：
ＩＰネットワークを介した音声通信（ＶｏＩＰ）を希望するＩＳＤＮターミナルアダプタ同士に、ＩＳＤＮのＤチャンネルの呼制御メッセージのユーザユーザ情報要素を用いてＩＰアドレス情報を交換させる。
ステップ２：
各ＩＳＤＮターミナルアダプタに、ＶｏＩＰ可能な状態へ遷移させる。
なお、この音声通信方法は、次のようにも変形できる。
【００５８】
ステップ１−１：
ユーザからこの処理の開始指示が入力された場合、音声通信を希望する側（発信側）ＩＳＤＮターミナルアダプタに、発信側ＩＰアドレスと、着信側ＩＰアドレスの提示要求とをユーザユーザ情報要素に含めたＩＳＤＮの呼制御メッセージ作成させる。
ステップ１−２：
発信側ＩＳＤＮターミナルアダプタに、上記呼制御メッセージをＩＳＤＮ網を介して着信側ＩＳＤＮ（任意の相手方）ＩＳＤＮターミナルアダプタに送信させる。
ステップ１−３：
着信側ＩＳＤＮターミナルアダプタに、上記呼制御メッセージを受信し、かつ、着信側が発信側とＶｏＩＰによる音声通話を希望する場合に、その旨と着信側ＩＰアドレスとをユーザユーザ情報要素に含めた呼制御メッセージ（応答通知）を作成させる。
ステップ１−４：
着信側ＩＳＤＮターミナルアダプタに、上記応答通知をＩＳＤＮ網を介して発信側ＩＳＤＮターミナルアダプタへ送信させる。
ステップ２−１：
着信側ＩＳＤＮターミナルアダプタに、ＶｏＩＰ可能な状態へ遷移させる。
ステップ２−２：
発信側ＩＳＤＮターミナルアダプタに、上記応答通知を受信したことをトリガにしてＶｏＩＰ可能な状態へ遷移させる。
以上のステップが終了すると、発信側と着信側のＩＳＤＮターミナルアダプタ間でＶｏＩＰによる音声通話を行うことが可能となる。
【００５９】
なお、ステップ１−３に進む前に、着信側ＩＳＤＮターミナルアダプタに、Ｄチャンネル通信を一旦終了させてもよい。この場合、ステップ１−４では、着信側ＩＳＤＮターミナルアダプタが発信側ＩＳＤＮターミナルアダプタと改めてＤチャンネルにより接続し、上記応答通知を送信する。これにより、着信側ＩＳＤＮターミナルアダプタが上記ユーザユーザ情報要素受信後すぐに応答通知を返信する必要がなくなる。
【００６０】
また、ステップ１−１において、発信側ＩＳＤＮターミナルアダプタに、まず、ＩＳＰからＩＰアドレスを取得させ、当該ＩＰアドレスを含むユーザユーザ情報を作成させてもよい。
また、ステップ１−３において、着信側ターミナルアダプタに、ＩＳＰからＩＰアドレスを取得させ、当該ＩＰアドレスを含むユーザユーザ情報要素（応答通知）を作成させてもよい。
本発明に係るＩＰネットワークを介した音声通信方法は、例えば、本発明に係るＩＳＤＮターミナルアダプタに前記した動作（制御）を行わせることでも実現できる。
【００６１】
以上、この発明の好適な実施の形態を説明したが、上述の実施の形態はこの発明の説明のための例示であって、この実施形態のみにこの発明の範囲を限定する趣旨ではない。当業者は、この発明の要旨を逸脱することなく、種々の変形、改良、修正、簡略化などを上記実施形態に加えた種々の他の形態でもこの発明を実施することができる。
【００６２】
例えば、ＩＳＤＮターミナルアダプタにルータ機能を付加し、いわゆるＩＳＤＮルータとすることもできる。
また、着信側ＩＳＤＮターミナルアダプタは１つである必要はなく、複数としてもよい。複数とする場合には、上記ＶｏＩＰ要求を各ＩＳＤＮターミナルアダプタへ送信し、応答通知を返信したアダプタとＶｏＩＰによる音声通話を行えばよい。２を超えるＩＳＤＮターミナルアダプタ間でＩＰネットワークを介した音声通信を行う技術は、公知の技術を採用できる。
また、上記説明では、固定電話機間、ＰＨＳ間の通話を例に挙げたが、これに限定されるものではない。本発明は、音声通話端末間でＶｏＩＰによる音声通話が行えればよい。
なお、各ＩＳＤＮターミナルアダプタがＩＰアドレスを取得するＩＳＰは、それぞれ同じでもよく異なっていてもよい。
【００６３】
【発明の効果】
以上の説明から明らかなように、ＩＳＤＮ網のＤチャンネルを利用してＩＰアドレス情報をＩＳＤＮターミナルアダプタ同士が交換するため、ユーザは、開始指示を与えるだけでＩＰネットワークを介した音声通信を行うことが可能となる。
【図面の簡単な説明】
【図１】本発明によるＩＳＤＮターミナルアダプタの内部構成例を示す。
【図２】図１のＩＳＤＮターミナルアダプタがＰＨＳによりＩＰネットワークを介した音声通信を行う制御例を説明するための第１のシーケンス図である。
【図３】図１のＩＳＤＮターミナルアダプタが固定電話機によりＩＰネットワークを介した音声通信を行う制御例を説明するための第１のシーケンス図である。
【図４】ＵＤＰヘッダの構造を示す。
【図５】ＩＰヘッダの構造を示す。
【図６】ＵＤＰ／ＩＰヘッダの構造を示す。
【図７】ＳＥＴＵＰメッセージのフレーム構成例を示す。
【図８】ＲＥＬＣＯＭＰメッセージのフレーム構成例を示す。
【図９】ＣＯＮＮメッセージのフレーム構成例を示す。
【図１０】ユーザユーザ情報要素のフレーム構成例を示す。
【図１１】図１のＩＳＤＮターミナルアダプタが固定電話機によりＩＰネットワークを介した音声通信を行う制御例を説明するための第２のシーケンス図である。
【図１２】図１のＩＳＤＮターミナルアダプタが固定電話機によりＩＰネットワークを介した音声通信を行う制御例を説明するための第３のシーケンス図である。
【図１３】図１のＩＳＤＮターミナルアダプタがＰＨＳによりＩＰネットワークを介した音声通信を行う制御例を説明するための第２のシーケンス図である。
【図１４】図１のＩＳＤＮターミナルアダプタがＰＨＳによりＩＰネットワークを介した音声通信を行う制御例を説明するための第３のシーケンス図である。
【符号の説明】
１  データ通信制御部
２  音声制御部
３  無線通信制御部
４  データ・音声切替部
５  ＩＳＤＮ網制御部
【図１】
0003678675.tif 000002
【図２】
0003678675.tif 000003
【図３】
0003678675.tif 000004
【図４】
0003678675.tif 000005
【図５】
0003678675.tif 000006
【図６】
0003678675.tif 000007
【図７】
0003678675.tif 000008
【図８】
0003678675.tif 000009
【図９】
0003678675.tif 000010
【図１０】
0003678675.tif 000011
【図１１】
0003678675.tif 000012
【図１２】
0003678675.tif 000013
【図１３】
0003678675.tif 000014
【図１４】
0003678675.tif 000015